(57)【要約】  通信網の異常時に効率よく通信を行い、多くの人が通信できるようにするのに好適な優先通信システムを提供する。  通信制御システム１００は、携帯電話機２ごとに、その携帯電話機２について支払った又は支払うべき料金に基づいて通話待ちキュー３０の順位を設定する。正常時は、携帯電話機２からの発呼要求に応じて、携帯電話機２の通話を、その携帯電話機２について設定された順位にかかわらず行う。輻輳時は、携帯電話機２から要求された通話をＦＩＦＯ方式で処理し、通話待ちキュー３０において、携帯電話機２からの発呼要求を、その携帯電話機２について設定された順位に設定する。
2012173225.tif 000002
【特許請求の範囲】
【請求項１】
通信網を介して通信端末が行う通信を制御する通信制御システムであって、
前記通信端末ごとに、当該通信端末又はこれに関連する通信端末について支払った又は支払うべき料金に基づいて通信の優先度を設定する優先度設定手段と、
前記通信網の正常時における前記通信端末の通信を、当該通信端末又はこれに関連する通信端末について前記優先度設定手段で設定された優先度にかかわらず行う通信実施手段と、
前記通信網の異常時に前記通信端末から要求された又は要求される通信を所定順序で処理する順序処理手段と、
前記順序処理手段で待機中又は通信中の通信のなかで、前記通信端末から要求された又は要求される通信の前記所定順序における順位を、当該通信端末又はこれに関連する通信端末について前記優先度設定手段で設定された優先度に基づいて、当該待機中又は通信中の他の通信よりも上位に設定する順位設定手段とを備えることを特徴とする通信制御システム。
【請求項２】
通信網を介して通信端末が行う通信を制御する通信制御システムであって、
前記通信端末ごとに、当該通信端末又はこれに関連する通信端末について支払った又は支払うべき料金に基づいて通信の優先度を設定する優先度設定手段と、
前記通信網の正常時における前記通信端末の通信を、当該通信端末又はこれに関連する通信端末について前記優先度設定手段で設定された優先度にかかわらず行う通信実施手段と、
前記通信網の異常時に、前記通信端末から要求された又は要求される通信を、当該通信端末又はこれに関連する通信端末について前記優先度設定手段で設定された優先度に基づいて他の通信よりも優先的に処理する優先処理手段とを備えることを特徴とする通信制御システム。
【請求項３】
請求項１及び２のいずれか１項において、
前記異常時に先立って課金する事前課金手段を備え、
前記優先度設定手段は、前記事前課金手段で課金した料金に基づいて前記優先度を設定することを特徴とする通信制御システム。
【請求項４】
請求項１乃至３のいずれか１項において、
前記異常時に課金する事後課金手段を備え、
前記優先度設定手段は、前記事後課金手段で課金した料金に基づいて前記優先度を設定することを特徴とする通信制御システム。
【請求項５】
請求項１及び２のいずれか１項において、
前記異常時に先立って課金する事前課金手段と、
前記異常時に課金する事後課金手段とを備え、
前記優先度設定手段は、前記事前課金手段又は前記事後課金手段で課金した料金に基づいて前記優先度を設定し、
同一の前記優先度について、前記事後課金手段で課金する料金は、前記事前課金手段で課金する料金よりも高く設定したことを特徴とする通信制御システム。
【請求項６】
請求項４及び５のいずれか１項において、
前記事後課金手段は、前記通信端末が特定の通信先に発信することにより課金を行うことを特徴とする通信制御システム。
【請求項７】
通信網を介して通信端末が行う通信を制御する通信制御システムであって、
前記通信網の正常時における前記通信端末の通信を所定の通信許可時間にかかわらず行う通信実施手段と、
前記通信網の異常時に前記通信端末が通信した通信時間を算出する通信時間算出手段と、
前記通信端末について前記通信時間算出手段で算出した通信時間が前記所定の通信許可時間を超えた場合は、当該通信端末の通信を禁止する通信禁止手段とを備えることを特徴とする通信制御システム。
【請求項８】
通信網を介して通信端末が行う通信を制御する通信制御システムであって、
前記通信網の正常時における前記通信端末の通信を所定の通信許可時間にかかわらず行う通信実施手段と、
前記所定の通信許可時間に基づいて、前記通信網の異常時に前記通信端末が通信可能な残り通信時間を算出する残通信時間算出手段と、
前記通信端末について前記残通信時間算出手段で算出した残り通信時間を消化した場合は、当該通信端末の通信を禁止する通信禁止手段とを備えることを特徴とする通信制御システム。
【請求項９】
通信網を介して通信端末が行う通信を制御する通信制御システムであって、
前記通信網の正常時における前記通信端末の通信を所定の通信許可データ量にかかわらず行う通信実施手段と、
前記通信網の異常時に前記通信端末が通信した通信データ量を算出する通信データ量算出手段と、
前記通信端末について前記通信データ量算出手段で算出した通信データ量が前記所定の通信許可データ量を超えた場合は、当該通信端末の通信を禁止する通信禁止手段とを備えることを特徴とする通信制御システム。
【請求項１０】
通信網を介して通信端末が行う通信を制御する通信制御システムであって、
前記通信網の正常時における前記通信端末の通信を所定の通信許可データ量にかかわらず行う通信実施手段と、
前記所定の通信許可データ量に基づいて、前記通信網の異常時に前記通信端末が通信可能な残り通信データ量を算出する残通信データ量算出手段と、
前記通信端末について前記残通信データ量算出手段で算出した残り通信データ量を消化した場合は、当該通信端末の通信を禁止する通信禁止手段とを備えることを特徴とする通信制御システム。
【請求項１１】
通信網を介して通信端末が行う通信を制御する通信制御システムであって、
前記通信網の正常時における前記通信端末の通信を所定の通信許可料金にかかわらず行う通信実施手段と、
前記通信網の異常時に前記通信端末が通信に要した通信料金を算出する通信料金算出手段と、
前記通信端末について前記通信料金算出手段で算出した通信料金が前記所定の通信許可料金を超えた場合は、当該通信端末の通信を禁止する通信禁止手段とを備えることを特徴とする通信制御システム。
【請求項１２】
通信網を介して通信端末が行う通信を制御する通信制御システムであって、
前記通信網の正常時における前記通信端末の通信を所定の通信許可料金にかかわらず行う通信実施手段と、
前記所定の通信許可料金に基づいて、前記通信網の異常時に前記通信端末が通信可能な残り通信料金を算出する残通信料金算出手段と、
前記通信端末について前記残通信料金算出手段で算出した残り通信料金を消化した場合は、当該通信端末の通信を禁止する通信禁止手段とを備えることを特徴とする通信制御システム。
【請求項１３】
通信網を介して通信端末が行う通信を制御する通信制御システムであって、
前記通信網の異常時における前記通信端末の通信を、前記通信網の正常時よりも高い第１通信料金で行う異常時通信手段を備えることを特徴とする通信制御システム。
【請求項１４】
請求項１３において、
前記通信端末ごとに、当該通信端末又はこれに関連する通信端末について支払った又は支払うべき料金に基づいて通信料金優遇度を設定する通信料金優遇度設定手段と、
前記正常時における前記通信端末の通信を、当該通信端末又はこれに関連する通信端末について前記通信料金優遇度設定手段で設定された通信料金優遇度にかかわらず行う通信実施手段と、
前記通信端末の通信料金を、当該通信端末又はこれに関連する通信端末について前記通信料金優遇度設定手段で設定された通信料金優遇度に基づいて、前記第１通信料金よりも安い第２通信料金に設定する通信料金設定手段とを備えることを特徴とする通信制御システム。
【請求項１５】
請求項１４において、
前記異常時に先立って課金する事前課金手段を備え、
前記通信料金優遇度設定手段は、前記事前課金手段で課金した料金に基づいて前記通信料金優遇度を設定することを特徴とする通信制御システム。
【請求項１６】
請求項１４及び１５のいずれか１項において、
前記異常時に課金する事後課金手段を備え、
前記通信料金優遇度設定手段は、前記事後課金手段で課金した料金に基づいて前記通信料金優遇度を設定することを特徴とする通信制御システム。
【請求項１７】
請求項１４において、
前記異常時に先立って課金する事前課金手段と、
前記異常時に課金する事後課金手段とを備え、
前記通信料金優遇度設定手段は、前記事前課金手段又は前記事後課金手段で課金した料金に基づいて前記通信料金優遇度を設定し、
同一の前記通信料金優遇度について、前記事後課金手段で課金する料金は、前記事前課金手段で課金する料金よりも高く設定したことを特徴とする通信制御システム。
【請求項１８】
請求項１６及び１７のいずれか１項において、
前記事後課金手段は、前記通信端末が特定の通信先に発信することにより課金を行うことを特徴とする通信制御システム。
【請求項１９】
請求項１３乃至１８のいずれか１項において、
前記異常時に１又は複数の前記通信端末から要求された又は要求される通信の要求度を検出する要求度検出手段と、
前記要求度検出手段で検出した要求度に基づいて前記第１通信料金を増加又は減少させる通信料金変更手段とを備えることを特徴とする通信制御システム。
【請求項２０】
請求項１３乃至１８のいずれか１項において、
前記異常時に１又は複数の前記通信端末が通信した通信時間を算出する通信時間算出手段と、
前記通信時間算出手段で算出した通信時間に基づいて前記第１通信料金を増加又は減少させる通信料金変更手段とを備えることを特徴とする通信制御システム。
【請求項２１】
請求項１３乃至１８のいずれか１項において、
前記異常時に１又は複数の前記通信端末が通信した通信データ量を算出する通信データ量算出手段と、
前記通信データ量算出手段で算出した通信データ量に基づいて前記第１通信料金を増加又は減少させる通信料金変更手段とを備えることを特徴とする通信制御システム。
【請求項２２】
請求項１３乃至１８のいずれか１項において、
前記異常時に１又は複数の前記通信端末が通信した通信回数を算出する通信回数算出手段と、
前記通信回数算出手段で算出した通信回数に基づいて前記第１通信料金を増加又は減少させる通信料金変更手段とを備えることを特徴とする通信制御システム。
【請求項２３】
請求項１３乃至１８のいずれか１項において、
前記異常時に１又は複数の前記通信端末が通信に要した通信料金を算出する通信料金算出手段と、
前記通信料金算出手段で算出した通信料金に基づいて前記第１通信料金を増加又は減少させる通信料金変更手段とを備えることを特徴とする通信制御システム。
【請求項２４】
通信網を介して通信端末が行う通信を制御する通信制御システムであって、
前記通信網の異常時における前記通信端末の通信を、前記通信網の正常時よりも短い第１通信制限時間で行う異常時通信手段を備えることを特徴とする通信制御システム。
【請求項２５】
請求項２４において、
前記通信端末ごとに、当該通信端末又はこれに関連する通信端末について支払った又は支払うべき料金に基づいて通信時間優遇度を設定する通信時間優遇度設定手段と、
前記正常時における前記通信端末の通信を、当該通信端末又はこれに関連する通信端末について前記通信時間優遇度設定手段で設定された通信時間優遇度にかかわらず行う通信実施手段と、
前記異常時における前記通信端末の通信制限時間を、当該通信端末又はこれに関連する通信端末について前記通信時間優遇度設定手段で設定された通信時間優遇度に基づいて、前記第１通信制限時間よりも長い第２通信制限時間に設定する通信制限時間設定手段とを備えることを特徴とする通信制御システム。
【請求項２６】
通信網を介して通信端末が行う通信を制御する通信制御システムであって、
前記通信網の異常時における前記通信端末の通信を、前記通信網の正常時よりも少ない第１通信制限データ量で行う異常時通信手段を備えることを特徴とする通信制御システム。
【請求項２７】
請求項２６において、
前記通信端末ごとに、当該通信端末又はこれに関連する通信端末について支払った又は支払うべき料金に基づいて通信データ量優遇度を設定する通信データ量優遇度設定手段と、
前記正常時における前記通信端末の通信を、当該通信端末又はこれに関連する通信端末について前記通信データ量優遇度設定手段で設定された通信データ量優遇度にかかわらず行う通信実施手段と、
前記異常時における前記通信端末の通信制限データ量を、当該通信端末又はこれに関連する通信端末について前記通信データ量優遇度設定手段で設定された通信データ量優遇度に基づいて、前記第１通信制限データ量よりも多い第２通信制限データ量に設定する通信制限データ量設定手段とを備えることを特徴とする通信制御システム。
【請求項２８】
通信網を介して通信端末が行う通信を制御する通信制御システムであって、
前記通信網の異常時における前記通信端末の通信を、前記通信網の正常時よりも少ない第１通信制限回数で行う異常時通信手段を備えることを特徴とする通信制御システム。
【請求項２９】
請求項２８において、
前記通信端末ごとに、当該通信端末又はこれに関連する通信端末について支払った又は支払うべき料金に基づいて通信回数優遇度を設定する通信回数優遇度設定手段と、
前記正常時における前記通信端末の通信を、当該通信端末又はこれに関連する通信端末について前記通信回数優遇度設定手段で設定された通信回数優遇度にかかわらず行う通信実施手段と、
前記異常時における前記通信端末の通信制限回数を、当該通信端末又はこれに関連する通信端末について前記通信回数優遇度設定手段で設定された通信回数優遇度に基づいて、前記第１通信制限回数よりも多い第２通信制限回数に設定する通信制限回数設定手段とを備えることを特徴とする通信制御システム。
【請求項３０】
通信網を介して通信端末が行う通信を制御する通信制御システムであって、
前記通信網の異常時における前記通信端末の通信を、前記通信網の正常時よりも少ない第１通信制限料金で行う異常時通信手段を備えることを特徴とする通信制御システム。
【請求項３１】
請求項３０において、
前記通信端末ごとに、当該通信端末又はこれに関連する通信端末について支払った又は支払うべき料金に基づいて通信料金優遇度を設定する通信料金優遇度設定手段と、
前記正常時における前記通信端末の通信を、当該通信端末又はこれに関連する通信端末について前記通信料金優遇度設定手段で設定された通信料金優遇度にかかわらず行う通信実施手段と、
前記異常時における前記通信端末の通信制限料金を、当該通信端末又はこれに関連する通信端末について前記通信料金優遇度設定手段で設定された通信料金優遇度に基づいて、前記第１通信制限料金よりも多い第２通信制限料金に設定する通信制限料金設定手段とを備えることを特徴とする通信制御システム。
【発明の詳細な説明】
【技術分野】
【０００１】
本発明は、通信網を介して通信端末が行う通信を制御するシステムに係り、特に、通信網の異常時に効率よく通信を行い、多くの人が通信できるようにするのに好適な優先通信システムに関する。
【背景技術】
【０００２】
特許文献１記載の技術では、利用者が一通話で通話できる時間は通信網が決定している。そのため、利用者は、与えられた通話時間を使い切るまで通話してしまう。つまり、利用者は、できるだけ短い時間で通話を終了しようとはしない。
【先行技術文献】
【特許文献】
【０００３】
【特許文献１】特開２００４−８８４２９号公報
【発明の概要】
【発明が解決しようとする課題】
【０００４】
大規模災害発生時、通信網や交換局の障害発生時、イベント等による通信要求が短時間に急増した場合等において、多くの者が一斉に通信を行おうとすると、輻輳が発生し、発信規制又は着信規制がかけられる。このような場合、通信端末の個々の利用者は、通信時間をできるだけ短くすることが望ましい。同様に、通信データ量、通信回数及び通信料金をできるだけ少なくすることが望ましい。そうすれば、より多くの人が通信できるからである。【０００５】
しかしながら、特許文献１記載の技術にあっては、利用者ができるだけ短い通信時間で通信を終了するような仕組みにはなっていない。【０００６】
そこで、本発明は、このような従来の技術の有する未解決の課題に着目してなされたものであって、通信網の異常時に効率よく通信を行い、多くの人が通信できるようにするのに好適な優先通信システムを提供することを目的としている。
【課題を解決するための手段】
【０００７】
〔発明１〕  上記目的を達成するために、発明１の通信制御システムは、通信網を介して通信端末が行う通信を制御する通信制御システムであって、前記通信端末ごとに、当該通信端末又はこれに関連する通信端末について支払った又は支払うべき料金に基づいて通信の優先度を設定する優先度設定手段と、前記通信網の正常時における前記通信端末の通信を、当該通信端末又はこれに関連する通信端末について前記優先度設定手段で設定された優先度にかかわらず行う通信実施手段と、前記通信網の異常時に前記通信端末から要求された又は要求される通信を所定順序で処理する順序処理手段と、前記順序処理手段で待機中又は通信中の通信のなかで、前記通信端末から要求された又は要求される通信の前記所定順序における順位を、当該通信端末又はこれに関連する通信端末について前記優先度設定手段で設定された優先度に基づいて、当該待機中又は通信中の他の通信よりも上位に設定する順位設定手段とを備える。【０００８】
このような構成であれば、優先度設定手段により、通信端末ごとに、その通信端末又はこれに関連する通信端末について支払った又は支払うべき料金に基づいて通信の優先度が設定される。【０００９】
通信網の正常時は、通信実施手段により、通信端末（Ａ）の通信が、その通信端末（Ａ）又はこれに関連する通信端末について設定された優先度にかかわらず行われる。これに対し、通信網の異常時は、順序処理手段により、通信端末から要求された又は要求される通信が所定順序で処理される。そして、順位設定手段により、順序処理手段で待機中又は通信中の通信のなかで、通信端末（Ａ）から要求された又は要求される通信の所定順序における順位が、その通信端末（Ａ）又はこれに関連する通信端末について設定された優先度に基づいて、その待機中又は通信中の他の通信よりも上位に設定される。【００１０】
ここで、通信とは、発信側の通信端末が行う通信（発信）、又は着信側の通信端末が行う通信（着信）が含まれる。以下、発明２、７乃至１３、２４、２６、２８及び３０の通信制御システムにおいて同じである。【００１１】
また、通信には、通話、データ通信その他の通信が含まれる。また、階層の観点からは、物理層レベルでの通信又は論理層レベルでの通信が含まれる。以下、発明２、７乃至１３、２４、２６、２８及び３０の通信制御システムにおいて同じである。【００１２】
また、通信網の異常としては、例えば、通信網の輻輳、障害（機器や回線の故障を含む。）、人為的規制その他の異常が含まれる。人為的規制としては、例えば、オペレータ等が異常の発生を予測し、異常の旨を入力することが含まれる。通信網の異常は、例えば、通信網の異常を検出する異常検出手段を利用して得ることができる。以下、発明２、７乃至１３、２４、２６、２８及び３０の通信制御システムにおいて同じである。【００１３】
また、通信端末について支払った料金としては、例えば、通信を行う時又はそれ以前に支払った料金（通信料金、保証料金その他の名目の料金）が含まれる。また、通信端末について支払うべき料金としては、例えば、通信を行う時又はそれ以降に支払う料金（通信料金、保証料金その他の名目の料金）が含まれる。以下、発明２、１４、２５、２７、２９及び３１の通信制御システムにおいて同じである。【００１４】
また、通信端末に関連する通信端末としては、例えば、通信相手先の通信端末、又は家族、友人、社員その他の関係者間で所有する通信端末が含まれる。通信相手先の通信端末の場合、通信相手先の通信端末について支払った又は支払うべき料金が優先度の基準となり、通信相手先の通信端末について設定された優先度が基準となる。また、家族、友人、社員その他の関係者間で所有する通信端末の場合、それら通信端末のいずれか又はすべてについて支払った又は支払うべき料金が優先度の基準となり、それら通信端末のいずれか又はすべてについて設定された優先度が基準となる。以下、発明２の通信制御システムにおいて同じである。【００１５】
また、優先度は、通信を優先させる度合いを示すものをいい、これには、例えば、通信を優先させるか否か（優先の有無）を示すもの、優先させる通信ほど高い値を示すもの、優先させる通信ほど低い値を示すもの、順位設定手段で設定される順位を示すもの、現在の順位から順位設定手段で設定される順位までの差分を示すものが含まれる。優先度は、例えば、数値、文字、記号、図形、画像その他の識別子で表すことができる。以下、発明２の通信制御システムにおいて同じである。【００１６】
また、優先度設定手段による「設定」としては、例えば、次の場合が含まれる。第１は、本システムがアクセス可能な記憶手段に優先度（情報）を記憶し、優先度が記憶された記憶手段を本システムがアクセス可能な記憶手段として加え、若しくは優先度が記憶された記憶手段を本システムがアクセス可能な記憶手段に変換し、又は本システムに優先度を入力することである。第２は、本システムがアクセス可能な記憶手段に優先度が記憶され、又は本システムに優先度が入力されている本システムについて、通信網への接続（配線、本システムの始動、送受信用プログラムの起動その他の一連の行為により行われる場合は、当該一連の行為のうち最後のものをいう。）を行うことである。以下、発明２の通信制御システムにおいて同じである。【００１７】
また、本システムは、少なくとも通信網の異常時に通信端末から要求された又は要求される通信を所定順序で処理すればよく、通信網の正常時にも所定順序による処理を行ってもよいし、通信網の正常時には所定順序による処理を行わなくてもよい。【００１８】
また、順位設定手段は、任意のタイミングで順位を設定することができ、例えば、通信端末から通信が要求された場合、又は通信端末の通信が順序処理手段で待機中である場合に、順位を設定することができる。【００１９】
また、通信端末から要求された通信としては、例えば、通信端末から現に要求された通信が含まれる。また、通信端末から要求される通信としては、例えば、時刻その他の時期を指定して送信されるタイマメールのように将来要求されることが予定されている通信が含まれる。以下、発明２及び１９の通信制御システムにおいて同じである。【００２０】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明２、７乃至１３、２４、２６、２８及び３０の通信制御システムにおいて同じである。【００２１】
また、本システムは、通信実施手段を備える構成であるが、通信実施手段を備えない構成も採用することができる。以下、発明２、７乃至１２、１４、２５、２７、２９及び３１の通信制御システムにおいて同じである。【００２２】
〔発明２〕  さらに、発明２の通信制御システムは、通信網を介して通信端末が行う通信を制御する通信制御システムであって、前記通信端末ごとに、当該通信端末又はこれに関連する通信端末について支払った又は支払うべき料金に基づいて通信の優先度を設定する優先度設定手段と、前記通信網の正常時における前記通信端末の通信を、当該通信端末又はこれに関連する通信端末について前記優先度設定手段で設定された優先度にかかわらず行う通信実施手段と、前記通信網の異常時に、前記通信端末から要求された又は要求される通信を、当該通信端末又はこれに関連する通信端末について前記優先度設定手段で設定された優先度に基づいて他の通信よりも優先的に処理する優先処理手段とを備える。【００２３】
このような構成であれば、優先度設定手段により、通信端末ごとに、その通信端末又はこれに関連する通信端末について支払った又は支払うべき料金に基づいて通信の優先度が設定される。【００２４】
通信網の正常時は、通信実施手段により、通信端末（Ａ）の通信が、その通信端末（Ａ）又はこれに関連する通信端末について設定された優先度にかかわらず行われる。これに対し、通信網の異常時は、優先処理手段により、通信端末（Ａ）から要求された又は要求される通信が、その通信端末（Ａ）又はこれに関連する通信端末について設定された優先度に基づいて他の通信よりも優先的に処理される。【００２５】
〔発明３〕  さらに、発明３の通信制御システムは、発明１及び２のいずれか１の通信制御システムにおいて、前記異常時に先立って課金する事前課金手段を備え、前記優先度設定手段は、前記事前課金手段で課金した料金に基づいて前記優先度を設定する。【００２６】
このような構成であれば、通信端末の利用者が異常時に先立って料金を支払う手続を行うと、事前課金手段により課金が行われる。そして、優先度設定手段により、課金された料金に基づいて優先度が設定される。【００２７】
〔発明４〕  さらに、発明４の通信制御システムは、発明１乃至３のいずれか１の通信制御システムにおいて、前記異常時に課金する事後課金手段を備え、前記優先度設定手段は、前記事後課金手段で課金した料金に基づいて前記優先度を設定する。【００２８】
このような構成であれば、通信端末の利用者が異常時に料金を支払う手続を行うと、事後課金手段により課金が行われる。そして、優先度設定手段により、課金された料金に基づいて優先度が設定される。【００２９】
〔発明５〕  さらに、発明５の通信制御システムは、発明１及び２のいずれか１の通信制御システムにおいて、前記異常時に先立って課金する事前課金手段と、前記異常時に課金する事後課金手段とを備え、前記優先度設定手段は、前記事前課金手段又は前記事後課金手段で課金した料金に基づいて前記優先度を設定し、同一の前記優先度について、前記事後課金手段で課金する料金は、前記事前課金手段で課金する料金よりも高く設定した。【００３０】
このような構成であれば、通信端末の利用者が異常時に先立って料金を支払う手続を行うと、事前課金手段により課金が行われる。これに対し、利用者が異常時に料金を支払う手続を行うと、事後課金手段により課金が行われる。そして、優先度設定手段により、課金された料金に基づいて優先度が設定される。このとき、同一の優先度について、事後課金手段で課金する料金は、事前課金手段で課金する料金よりも高く設定されているので、事前に料金を支払う方がお得であると考える利用者は、異常時に先立って料金を支払うであろう。【００３１】
〔発明６〕  さらに、発明６の通信制御システムは、発明４及び５のいずれか１の通信制御システムにおいて、前記事後課金手段は、前記通信端末が特定の通信先に発信することにより課金を行う。【００３２】
このような構成であれば、通信端末の利用者は、通信端末において特定の通信先に発信すると、事後課金手段により課金が行われる。【００３３】
〔発明７〕  さらに、発明７の通信制御システムは、通信網を介して通信端末が行う通信を制御する通信制御システムであって、前記通信網の正常時における前記通信端末の通信を所定の通信許可時間にかかわらず行う通信実施手段と、前記通信網の異常時に前記通信端末が通信した通信時間を算出する通信時間算出手段と、前記通信端末について前記通信時間算出手段で算出した通信時間が前記所定の通信許可時間を超えた場合は、当該通信端末の通信を禁止する通信禁止手段とを備える。【００３４】
このような構成であれば、通信網の正常時は、通信実施手段により、通信端末の通信が所定の通信許可時間（例えば、都度通信許可時間又は累積通信許可時間）にかかわらず行われる。これに対し、通信網の異常時は、通信時間算出手段により、通信端末（Ａ）が通信した通信時間（例えば、都度通信時間又は累積通信時間）が算出され、通信端末（Ａ）について算出された通信時間が所定の通信許可時間を超えた場合は、通信禁止手段により、その通信端末（Ａ）の通信が禁止される。【００３５】
ここで、発信側の通信端末の通信を規制の対象とする場合、発信側の通信端末の通信時間が所定の通信許可時間を超えた場合は、当該通信を禁止する。また、着信側に通信時間を負担させる場合も考えられる。この場合、着信側の通信端末の通信時間が所定の通信許可時間を超えた場合は、当該通信を禁止する。これは、着信側について通信網が異常でない場合にも行うことができる。これに対し、着信側の通信端末の通信を規制の対象とする場合、着信側の通信端末の通信時間が所定の通信許可時間を超えた場合は、当該通信を禁止する。また、発信側に通信時間を負担させる場合も考えられる。この場合、発信側の通信端末の通信時間が所定の通信許可時間を超えた場合は、当該通信を禁止する。これは、発信側について通信網が異常でない場合にも行うことができる。以下、発明８の通信制御システムにおいて同じである。【００３６】
〔発明８〕  さらに、発明８の通信制御システムは、通信網を介して通信端末が行う通信を制御する通信制御システムであって、前記通信網の正常時における前記通信端末の通信を所定の通信許可時間にかかわらず行う通信実施手段と、前記所定の通信許可時間に基づいて、前記通信網の異常時に前記通信端末が通信可能な残り通信時間を算出する残通信時間算出手段と、前記通信端末について前記残通信時間算出手段で算出した残り通信時間を消化した場合は、当該通信端末の通信を禁止する通信禁止手段とを備える。【００３７】
このような構成であれば、通信網の正常時は、通信実施手段により、通信端末の通信が所定の通信許可時間（例えば、都度通信許可時間又は累積通信許可時間）にかかわらず行われる。これに対し、通信網の異常時は、残通信時間算出手段により、所定の通信許可時間に基づいて通信端末（Ａ）が通信可能な残り通信時間（例えば、都度残り通信時間又は累積残り通信時間）が算出され、通信端末（Ａ）について算出された残り通信時間を消化した場合は、通信禁止手段により、その通信端末（Ａ）の通信が禁止される。【００３８】
〔発明９〕  さらに、発明９の通信制御システムは、通信網を介して通信端末が行う通信を制御する通信制御システムであって、前記通信網の正常時における前記通信端末の通信を所定の通信許可データ量にかかわらず行う通信実施手段と、前記通信網の異常時に前記通信端末が通信した通信データ量を算出する通信データ量算出手段と、前記通信端末について前記通信データ量算出手段で算出した通信データ量が前記所定の通信許可データ量を超えた場合は、当該通信端末の通信を禁止する通信禁止手段とを備える。【００３９】
このような構成であれば、通信網の正常時は、通信実施手段により、通信端末の通信が所定の通信許可データ量（例えば、都度通信許可データ量又は累積通信許可データ量）にかかわらず行われる。これに対し、通信網の異常時は、通信データ量算出手段により、通信端末（Ａ）が通信した通信データ量（例えば、都度通信データ量又は累積通信データ量）が算出され、通信端末（Ａ）について算出された通信データ量が所定の通信許可データ量を超えた場合は、通信禁止手段により、その通信端末（Ａ）の通信が禁止される。【００４０】
ここで、発信側の通信端末の通信を規制の対象とする場合、発信側の通信端末の通信データ量が所定の通信許可データ量を超えた場合は、当該通信を禁止する。また、着信側に通信データ量を負担させる場合も考えられる。この場合、着信側の通信端末の通信データ量が所定の通信許可データ量を超えた場合は、当該通信を禁止する。これは、着信側について通信網が異常でない場合にも行うことができる。これに対し、着信側の通信端末の通信を規制の対象とする場合、着信側の通信端末の通信データ量が所定の通信許可データ量を超えた場合は、当該通信を禁止する。また、発信側に通信データ量を負担させる場合も考えられる。この場合、発信側の通信端末の通信データ量が所定の通信許可データ量を超えた場合は、当該通信を禁止する。これは、発信側について通信網が異常でない場合にも行うことができる。以下、発明１０の通信制御システムにおいて同じである。【００４１】
〔発明１０〕  さらに、発明１０の通信制御システムは、通信網を介して通信端末が行う通信を制御する通信制御システムであって、前記通信網の正常時における前記通信端末の通信を所定の通信許可データ量にかかわらず行う通信実施手段と、前記所定の通信許可データ量に基づいて、前記通信網の異常時に前記通信端末が通信可能な残り通信データ量を算出する残通信データ量算出手段と、前記通信端末について前記残通信データ量算出手段で算出した残り通信データ量を消化した場合は、当該通信端末の通信を禁止する通信禁止手段とを備える。【００４２】
このような構成であれば、通信網の正常時は、通信実施手段により、通信端末の通信が所定の通信許可データ量（例えば、都度通信許可データ量又は累積通信許可データ量）にかかわらず行われる。これに対し、通信網の異常時は、残通信データ量算出手段により、所定の通信許可データ量に基づいて通信端末（Ａ）が通信可能な残り通信データ量（例えば、都度残り通信データ量又は累積残り通信データ量）が算出され、通信端末（Ａ）について算出された残り通信データ量を消化した場合は、通信禁止手段により、その通信端末（Ａ）の通信が禁止される。【００４３】
〔発明１１〕  さらに、発明１１の通信制御システムは、通信網を介して通信端末が行う通信を制御する通信制御システムであって、前記通信網の正常時における前記通信端末の通信を所定の通信許可料金にかかわらず行う通信実施手段と、前記通信網の異常時に前記通信端末が通信に要した通信料金を算出する通信料金算出手段と、前記通信端末について前記通信料金算出手段で算出した通信料金が前記所定の通信許可料金を超えた場合は、当該通信端末の通信を禁止する通信禁止手段とを備える。【００４４】
このような構成であれば、通信網の正常時は、通信実施手段により、通信端末の通信が所定の通信許可料金（例えば、都度通信許可料金又は累積通信許可料金）にかかわらず行われる。これに対し、通信網の異常時は、通信料金算出手段により、通信端末（Ａ）が通信に要した通信料金（例えば、都度通信料金又は累積通信料金）が算出され、通信端末（Ａ）について算出された通信料金が所定の通信許可料金を超えた場合は、通信禁止手段により、その通信端末（Ａ）の通信が禁止される。【００４５】
ここで、発信側の通信端末の通信を規制の対象とする場合、発信側の通信端末の通信料金が所定の通信許可料金を超えた場合は、当該通信を禁止する。また、着信側に通信料金を負担させる場合も考えられる。この場合、着信側の通信端末の通信料金が所定の通信許可料金を超えた場合は、当該通信を禁止する。これは、着信側について通信網が異常でない場合にも行うことができる。これに対し、着信側の通信端末の通信を規制の対象とする場合、着信側の通信端末の通信料金が所定の通信許可料金を超えた場合は、当該通信を禁止する。また、発信側に通信料金を負担させる場合も考えられる。この場合、発信側の通信端末の通信料金が所定の通信許可料金を超えた場合は、当該通信を禁止する。これは、発信側について通信網が異常でない場合にも行うことができる。以下、発明１２の通信制御システムにおいて同じである。【００４６】
〔発明１２〕  さらに、発明１２の通信制御システムは、通信網を介して通信端末が行う通信を制御する通信制御システムであって、前記通信網の正常時における前記通信端末の通信を所定の通信許可料金にかかわらず行う通信実施手段と、前記所定の通信許可料金に基づいて、前記通信網の異常時に前記通信端末が通信可能な残り通信料金を算出する残通信料金算出手段と、前記通信端末について前記残通信料金算出手段で算出した残り通信料金を消化した場合は、当該通信端末の通信を禁止する通信禁止手段とを備える。【００４７】
このような構成であれば、通信網の正常時は、通信実施手段により、通信端末の通信が所定の通信許可料金（例えば、都度通信許可料金又は累積通信許可料金）にかかわらず行われる。これに対し、通信網の異常時は、残通信料金算出手段により、所定の通信許可料金に基づいて通信端末（Ａ）が通信可能な残り通信料金（例えば、都度残り通信料金又は累積残り通信料金）が算出され、通信端末（Ａ）について算出された残り通信料金を消化した場合は、通信禁止手段により、その通信端末（Ａ）の通信が禁止される。【００４８】
〔発明１３〕  さらに、発明１３の通信制御システムは、通信網を介して通信端末が行う通信を制御する通信制御システムであって、前記通信網の異常時における前記通信端末の通信を、前記通信網の正常時よりも高い第１通信料金で行う異常時通信手段を備える。【００４９】
このような構成であれば、通信網の異常時は、異常時通信手段により、通信端末の通信が、通信網の正常時よりも高い第１通信料金（例えば、都度通信料金又は累積通信料金）で行われる。【００５０】
ここで、通信網の正常時における通信端末の通信は、無料で行う場合、又は有料（所定の通信料金）で行う場合が含まれる。【００５１】
〔発明１４〕  さらに、発明１４の通信制御システムは、発明１３の通信制御システムにおいて、前記通信端末ごとに、当該通信端末又はこれに関連する通信端末について支払った又は支払うべき料金に基づいて通信料金優遇度を設定する通信料金優遇度設定手段と、前記正常時における前記通信端末の通信を、当該通信端末又はこれに関連する通信端末について前記通信料金優遇度設定手段で設定された通信料金優遇度にかかわらず行う通信実施手段と、前記通信端末の通信料金を、当該通信端末又はこれに関連する通信端末について前記通信料金優遇度設定手段で設定された通信料金優遇度に基づいて、前記第１通信料金よりも安い第２通信料金に設定する通信料金設定手段とを備える。【００５２】
このような構成であれば、通信料金優遇度設定手段により、通信端末ごとに、その通信端末又はこれに関連する通信端末について支払った又は支払うべき料金に基づいて通信料金優遇度が設定される。【００５３】
通信網の正常時は、通信実施手段により、通信端末（Ａ）の通信が、その通信端末（Ａ）又はこれに関連する通信端末について設定された通信料金優遇度にかかわらず行われる。これに対し、通信網の異常時は、通信料金設定手段により、通信端末（Ａ）の通信料金（例えば、都度通信料金又は累積通信料金）が、その通信端末（Ａ）又はこれに関連する通信端末について設定された通信料金優遇度に基づいて、第１通信料金よりも安い第２通信料金（例えば、都度通信料金又は累積通信料金）に設定される。【００５４】
ここで、通信端末に関連する通信端末としては、例えば、通信相手先の通信端末、又は家族、友人、社員その他の関係者間で所有する通信端末が含まれる。通信相手先の通信端末の場合、通信相手先の通信端末について支払った又は支払うべき料金が通信料金優遇度の基準となり、通信相手先の通信端末について設定された通信料金優遇度が基準となる。また、家族、友人、社員その他の関係者間で所有する通信端末の場合、それら通信端末のいずれか又はすべてについて支払った又は支払うべき料金が通信料金優遇度の基準となり、それら通信端末のいずれか又はすべてについて設定された通信料金優遇度が基準となる。以下、発明３１の通信制御システムにおいて同じである。【００５５】
また、通信料金優遇度は、通信料金を優遇する度合いを示すものをいい、これには、例えば、通信料金を優遇するか否か（優遇の有無）を示すもの、優遇する通信ほど高い値を示すもの、優遇する通信ほど低い値を示すもの、通信料金設定手段で設定される通信料金を示すもの、現在の通信料金から通信料金設定手段で設定される通信料金までの差分を示すものが含まれる。通信料金優遇度は、例えば、数値、文字、記号、図形、画像その他の識別子で表すことができる。【００５６】
また、通信料金優遇度設定手段による「設定」としては、例えば、次の場合が含まれる。第１は、本システムがアクセス可能な記憶手段に通信料金優遇度（情報）を記憶し、通信料金優遇度が記憶された記憶手段を本システムがアクセス可能な記憶手段として加え、若しくは通信料金優遇度が記憶された記憶手段を本システムがアクセス可能な記憶手段に変換し、又は本システムに通信料金優遇度を入力することである。第２は、本システムがアクセス可能な記憶手段に通信料金優遇度が記憶され、又は本システムに通信料金優遇度が入力されている本システムについて、通信網への接続（配線、本システムの始動、送受信用プログラムの起動その他の一連の行為により行われる場合は、当該一連の行為のうち最後のものをいう。）を行うことである。以下、発明３１の通信制御システムにおいて同じである。【００５７】
また、通信料金設定手段は、任意のタイミングで通信料金を設定することができ、例えば、通信端末から通信が要求された場合、又は通信端末の通信が待機中である場合に、通信料金を設定することができる。【００５８】
〔発明１５〕  さらに、発明１５の通信制御システムは、発明１４の通信制御システムにおいて、前記異常時に先立って課金する事前課金手段を備え、前記通信料金優遇度設定手段は、前記事前課金手段で課金した料金に基づいて前記通信料金優遇度を設定する。【００５９】
このような構成であれば、通信端末の利用者が異常時に先立って料金を支払う手続を行うと、事前課金手段により課金が行われる。そして、通信料金優遇度設定手段により、課金された料金に基づいて通信料金優遇度が設定される。【００６０】
〔発明１６〕  さらに、発明１６の通信制御システムは、発明１４及び１５のいずれか１の通信制御システムにおいて、前記異常時に課金する事後課金手段を備え、前記通信料金優遇度設定手段は、前記事後課金手段で課金した料金に基づいて前記通信料金優遇度を設定する。【００６１】
このような構成であれば、通信端末の利用者が異常時に料金を支払う手続を行うと、事後課金手段により課金が行われる。そして、通信料金優遇度設定手段により、課金された料金に基づいて通信料金優遇度が設定される。【００６２】
〔発明１７〕  さらに、発明１７の通信制御システムは、発明１４の通信制御システムにおいて、前記異常時に先立って課金する事前課金手段と、前記異常時に課金する事後課金手段とを備え、前記通信料金優遇度設定手段は、前記事前課金手段又は前記事後課金手段で課金した料金に基づいて前記通信料金優遇度を設定し、同一の前記通信料金優遇度について、前記事後課金手段で課金する料金は、前記事前課金手段で課金する料金よりも高く設定した。【００６３】
このような構成であれば、通信端末の利用者が異常時に先立って料金を支払う手続を行うと、事前課金手段により課金が行われる。これに対し、利用者が異常時に料金を支払う手続を行うと、事後課金手段により課金が行われる。そして、通信料金優遇度設定手段により、課金された料金に基づいて通信料金優遇度が設定される。このとき、同一の通信料金優遇度について、事後課金手段で課金する料金は、事前課金手段で課金する料金よりも高く設定されているので、事前に料金を支払う方がお得であると考える利用者は、異常時に先立って料金を支払うであろう。【００６４】
〔発明１８〕  さらに、発明１８の通信制御システムは、発明１６及び１７のいずれか１の通信制御システムにおいて、前記事後課金手段は、前記通信端末が特定の通信先に発信することにより課金を行う。【００６５】
このような構成であれば、通信端末の利用者は、通信端末において特定の通信先に発信すると、事後課金手段により課金が行われる。【００６６】
〔発明１９〕  さらに、発明１９の通信制御システムは、発明１３乃至１８のいずれか１の通信制御システムにおいて、前記異常時に１又は複数の前記通信端末から要求された又は要求される通信の要求度を検出する要求度検出手段と、前記要求度検出手段で検出した要求度に基づいて前記第１通信料金を増加又は減少させる通信料金変更手段とを備える。【００６７】
このような構成であれば、要求度検出手段により、異常時に１又は複数の通信端末から要求された又は要求される通信の要求度が検出され、通信料金変更手段により、検出された要求度に基づいて第１通信料金が増加又は減少する。【００６８】
ここで、要求度は、通信が要求される度合いを示すものをいい、これには、例えば、通信が要求されたか否か（要求の有無）を示すもの、通信の要求が多いほど高い値を示すもの、通信の要求が多いほど低い値を示すもの、通信の要求量、要求率、要求頻度その他要求度合いを示すものが含まれる。通信の要求量には、トラフィック量だけでなくトラフィック許容量も含まれる。要求度は、例えば、数値、文字、記号、図形、画像その他の識別子で表すことができる。【００６９】
また、要求度検出手段の対象は、特定又は任意の１又は複数の通信端末であってもよいし、すべての通信端末であってもよいし、特定グループ（例えば、特定エリア）に属する１又は複数の通信端末であってもよい。【００７０】
〔発明２０〕  さらに、発明２０の通信制御システムは、発明１３乃至１８のいずれか１の通信制御システムにおいて、前記異常時に１又は複数の前記通信端末が通信した通信時間を算出する通信時間算出手段と、前記通信時間算出手段で算出した通信時間に基づいて前記第１通信料金を増加又は減少させる通信料金変更手段とを備える。【００７１】
このような構成であれば、通信時間算出手段により、異常時に１又は複数の通信端末が通信した通信時間（例えば、都度通信時間又は累積通信時間）が算出され、通信料金変更手段により、算出された通信時間に基づいて第１通信料金が増加又は減少する。【００７２】
ここで、通信時間算出手段の対象は、特定又は任意の１又は複数の通信端末であってもよいし、すべての通信端末であってもよいし、特定グループ（例えば、特定エリア）に属する１又は複数の通信端末であってもよい。【００７３】
〔発明２１〕  さらに、発明２１の通信制御システムは、発明１３乃至１８のいずれか１の通信制御システムにおいて、前記異常時に１又は複数の前記通信端末が通信した通信データ量を算出する通信データ量算出手段と、前記通信データ量算出手段で算出した通信データ量に基づいて前記第１通信料金を増加又は減少させる通信料金変更手段とを備える。【００７４】
このような構成であれば、通信データ量算出手段により、異常時に１又は複数の通信端末が通信した通信データ量（例えば、都度通信データ量又は累積通信データ量）が算出され、通信料金変更手段により、算出された通信データ量に基づいて第１通信料金が増加又は減少する。【００７５】
ここで、通信データ量算出手段の対象は、特定又は任意の１又は複数の通信端末であってもよいし、すべての通信端末であってもよいし、特定グループ（例えば、特定エリア）に属する１又は複数の通信端末であってもよい。【００７６】
〔発明２２〕  さらに、発明２２の通信制御システムは、発明１３乃至１８のいずれか１の通信制御システムにおいて、前記異常時に１又は複数の前記通信端末が通信した通信回数を算出する通信回数算出手段と、前記通信回数算出手段で算出した通信回数に基づいて前記第１通信料金を増加又は減少させる通信料金変更手段とを備える。【００７７】
このような構成であれば、通信回数算出手段により、異常時に１又は複数の通信端末が通信した通信回数が算出され、通信料金変更手段により、算出された通信回数に基づいて第１通信料金が増加又は減少する。【００７８】
ここで、通信回数算出手段の対象は、特定又は任意の１又は複数の通信端末であってもよいし、すべての通信端末であってもよいし、特定グループ（例えば、特定エリア）に属する１又は複数の通信端末であってもよい。【００７９】
〔発明２３〕  さらに、発明２３の通信制御システムは、発明１３乃至１８のいずれか１の通信制御システムにおいて、前記異常時に１又は複数の前記通信端末が通信に要した通信料金を算出する通信料金算出手段と、前記通信料金算出手段で算出した通信料金に基づいて前記第１通信料金を増加又は減少させる通信料金変更手段とを備える。【００８０】
このような構成であれば、通信料金算出手段により、異常時に１又は複数の通信端末が通信に要した通信料金（例えば、都度通信料金又は累積通信料金）が算出され、通信料金変更手段により、算出された通信料金に基づいて第１通信料金が増加又は減少する。【００８１】
ここで、通信料金算出手段の対象は、特定又は任意の１又は複数の通信端末であってもよいし、すべての通信端末であってもよいし、特定グループ（例えば、特定エリア）に属する１又は複数の通信端末であってもよい。【００８２】
〔発明２４〕  さらに、発明２４の通信制御システムは、通信網を介して通信端末が行う通信を制御する通信制御システムであって、前記通信網の異常時における前記通信端末の通信を、前記通信網の正常時よりも短い第１通信制限時間で行う異常時通信手段を備える。【００８３】
このような構成であれば、通信網の異常時は、異常時通信手段により、通信端末の通信が、通信網の正常時よりも短い第１通信制限時間（例えば、都度通信制限時間又は累積通信制限時間）で行われる。【００８４】
ここで、通信網の正常時における通信端末の通信は、無制限で行う場合、又は所定の通信制限時間で行う場合が含まれる。【００８５】
〔発明２５〕  さらに、発明２５の通信制御システムは、発明２４の通信制御システムにおいて、前記通信端末ごとに、当該通信端末又はこれに関連する通信端末について支払った又は支払うべき料金に基づいて通信時間優遇度を設定する通信時間優遇度設定手段と、前記正常時における前記通信端末の通信を、当該通信端末又はこれに関連する通信端末について前記通信時間優遇度設定手段で設定された通信時間優遇度にかかわらず行う通信実施手段と、前記異常時における前記通信端末の通信制限時間を、当該通信端末又はこれに関連する通信端末について前記通信時間優遇度設定手段で設定された通信時間優遇度に基づいて、前記第１通信制限時間よりも長い第２通信制限時間に設定する通信制限時間設定手段とを備える。【００８６】
このような構成であれば、通信時間優遇度設定手段により、通信端末ごとに、その通信端末又はこれに関連する通信端末について支払った又は支払うべき料金に基づいて通信時間優遇度が設定される。【００８７】
通信網の正常時は、通信実施手段により、通信端末（Ａ）の通信が、その通信端末（Ａ）又はこれに関連する通信端末について設定された通信時間優遇度にかかわらず行われる。これに対し、通信網の異常時は、通信制限時間設定手段により、通信端末（Ａ）の通信制限時間（例えば、都度通信制限時間又は累積通信制限時間）が、その通信端末（Ａ）又はこれに関連する通信端末について設定された通信時間優遇度に基づいて、第１通信制限時間よりも長い第２通信制限時間（例えば、都度通信制限時間又は累積通信制限時間）に設定される。【００８８】
ここで、通信端末に関連する通信端末としては、例えば、通信相手先の通信端末、又は家族、友人、社員その他の関係者間で所有する通信端末が含まれる。通信相手先の通信端末の場合、通信相手先の通信端末について支払った又は支払うべき料金が通信時間優遇度の基準となり、通信相手先の通信端末について設定された通信時間優遇度が基準となる。また、家族、友人、社員その他の関係者間で所有する通信端末の場合、それら通信端末のいずれか又はすべてについて支払った又は支払うべき料金が通信時間優遇度の基準となり、それら通信端末のいずれか又はすべてについて設定された通信時間優遇度が基準となる。【００８９】
また、通信時間優遇度は、通信時間を優遇する度合いを示すものをいい、これには、例えば、通信時間を優遇するか否か（優遇の有無）を示すもの、優遇する通信ほど高い値を示すもの、優遇する通信ほど低い値を示すもの、通信制限時間設定手段で設定される通信制限時間を示すもの、現在の通信制限時間から通信制限時間設定手段で設定される通信制限時間までの差分を示すものが含まれる。通信時間優遇度は、例えば、数値、文字、記号、図形、画像その他の識別子で表すことができる。【００９０】
また、通信時間優遇度設定手段による「設定」としては、例えば、次の場合が含まれる。第１は、本システムがアクセス可能な記憶手段に通信時間優遇度（情報）を記憶し、通信時間優遇度が記憶された記憶手段を本システムがアクセス可能な記憶手段として加え、若しくは通信時間優遇度が記憶された記憶手段を本システムがアクセス可能な記憶手段に変換し、又は本システムに通信時間優遇度を入力することである。第２は、本システムがアクセス可能な記憶手段に通信時間優遇度が記憶され、又は本システムに通信時間優遇度が入力されている本システムについて、通信網への接続（配線、本システムの始動、送受信用プログラムの起動その他の一連の行為により行われる場合は、当該一連の行為のうち最後のものをいう。）を行うことである。【００９１】
また、通信制限時間設定手段は、任意のタイミングで通信制限時間を設定することができ、例えば、通信端末から通信が要求された場合、又は通信端末の通信が待機中である場合に、通信制限時間を設定することができる。【００９２】
〔発明２６〕  さらに、発明２６の通信制御システムは、通信網を介して通信端末が行う通信を制御する通信制御システムであって、前記通信網の異常時における前記通信端末の通信を、前記通信網の正常時よりも少ない第１通信制限データ量で行う異常時通信手段を備える。【００９３】
このような構成であれば、通信網の異常時は、異常時通信手段により、通信端末の通信が、通信網の正常時よりも少ない第１通信制限データ量（例えば、都度通信制限データ量又は累積通信制限データ量）で行われる。【００９４】
ここで、通信網の正常時における通信端末の通信は、無制限で行う場合、又は所定の通信制限データ量で行う場合が含まれる。【００９５】
〔発明２７〕  さらに、発明２７の通信制御システムは、発明２６の通信制御システムにおいて、前記通信端末ごとに、当該通信端末又はこれに関連する通信端末について支払った又は支払うべき料金に基づいて通信データ量優遇度を設定する通信データ量優遇度設定手段と、前記正常時における前記通信端末の通信を、当該通信端末又はこれに関連する通信端末について前記通信データ量優遇度設定手段で設定された通信データ量優遇度にかかわらず行う通信実施手段と、前記異常時における前記通信端末の通信制限データ量を、当該通信端末又はこれに関連する通信端末について前記通信データ量優遇度設定手段で設定された通信データ量優遇度に基づいて、前記第１通信制限データ量よりも多い第２通信制限データ量に設定する通信制限データ量設定手段とを備える。【００９６】
このような構成であれば、通信データ量優遇度設定手段により、通信端末ごとに、その通信端末又はこれに関連する通信端末について支払った又は支払うべき料金に基づいて通信データ量優遇度が設定される。【００９７】
通信網の正常時は、通信実施手段により、通信端末（Ａ）の通信が、その通信端末（Ａ）又はこれに関連する通信端末について設定された通信データ量優遇度にかかわらず行われる。これに対し、通信網の異常時は、通信制限データ量設定手段により、通信端末（Ａ）の通信制限データ量（例えば、都度通信制限データ量又は累積通信制限データ量）が、その通信端末（Ａ）又はこれに関連する通信端末について設定された通信データ量優遇度に基づいて、第１通信制限データ量よりも多い第２通信制限データ量（例えば、都度通信制限データ量又は累積通信制限データ量）に設定される。【００９８】
ここで、通信端末に関連する通信端末としては、例えば、通信相手先の通信端末、又は家族、友人、社員その他の関係者間で所有する通信端末が含まれる。通信相手先の通信端末の場合、通信相手先の通信端末について支払った又は支払うべき料金が通信データ量優遇度の基準となり、通信相手先の通信端末について設定された通信データ量優遇度が基準となる。また、家族、友人、社員その他の関係者間で所有する通信端末の場合、それら通信端末のいずれか又はすべてについて支払った又は支払うべき料金が通信データ量優遇度の基準となり、それら通信端末のいずれか又はすべてについて設定された通信データ量優遇度が基準となる。【００９９】
また、通信データ量優遇度は、通信データ量を優遇する度合いを示すものをいい、これには、例えば、通信データ量を優遇するか否か（優遇の有無）を示すもの、優遇する通信ほど高い値を示すもの、優遇する通信ほど低い値を示すもの、通信制限データ量設定手段で設定される通信制限データ量を示すもの、現在の通信制限データ量から通信制限データ量設定手段で設定される通信制限データ量までの差分を示すものが含まれる。通信データ量優遇度は、例えば、数値、文字、記号、図形、画像その他の識別子で表すことができる。【０１００】
また、通信データ量優遇度設定手段による「設定」としては、例えば、次の場合が含まれる。第１は、本システムがアクセス可能な記憶手段に通信データ量優遇度（情報）を記憶し、通信データ量優遇度が記憶された記憶手段を本システムがアクセス可能な記憶手段として加え、若しくは通信データ量優遇度が記憶された記憶手段を本システムがアクセス可能な記憶手段に変換し、又は本システムに通信データ量優遇度を入力することである。第２は、本システムがアクセス可能な記憶手段に通信データ量優遇度が記憶され、又は本システムに通信データ量優遇度が入力されている本システムについて、通信網への接続（配線、本システムの始動、送受信用プログラムの起動その他の一連の行為により行われる場合は、当該一連の行為のうち最後のものをいう。）を行うことである。【０１０１】
また、通信制限データ量設定手段は、任意のタイミングで通信制限データ量を設定することができ、例えば、通信端末から通信が要求された場合、又は通信端末の通信が待機中である場合に、通信制限データ量を設定することができる。【０１０２】
〔発明２８〕  さらに、発明２８の通信制御システムは、通信網を介して通信端末が行う通信を制御する通信制御システムであって、前記通信網の異常時における前記通信端末の通信を、前記通信網の正常時よりも少ない第１通信制限回数で行う異常時通信手段を備える。【０１０３】
このような構成であれば、通信網の異常時は、異常時通信手段により、通信端末の通信が、通信網の正常時よりも少ない第１通信制限回数で行われる。【０１０４】
ここで、通信網の正常時における通信端末の通信は、無制限で行う場合、又は所定の通信制限回数で行う場合が含まれる。【０１０５】
〔発明２９〕  さらに、発明２９の通信制御システムは、発明２８の通信制御システムにおいて、前記通信端末ごとに、当該通信端末又はこれに関連する通信端末について支払った又は支払うべき料金に基づいて通信回数優遇度を設定する通信回数優遇度設定手段と、前記正常時における前記通信端末の通信を、当該通信端末又はこれに関連する通信端末について前記通信回数優遇度設定手段で設定された通信回数優遇度にかかわらず行う通信実施手段と、前記異常時における前記通信端末の通信制限回数を、当該通信端末又はこれに関連する通信端末について前記通信回数優遇度設定手段で設定された通信回数優遇度に基づいて、前記第１通信制限回数よりも多い第２通信制限回数に設定する通信制限回数設定手段とを備える。【０１０６】
このような構成であれば、通信回数優遇度設定手段により、通信端末ごとに、その通信端末又はこれに関連する通信端末について支払った又は支払うべき料金に基づいて通信回数優遇度が設定される。【０１０７】
通信網の正常時は、通信実施手段により、通信端末（Ａ）の通信が、その通信端末（Ａ）又はこれに関連する通信端末について設定された通信回数優遇度にかかわらず行われる。これに対し、通信網の異常時は、通信制限回数設定手段により、通信端末（Ａ）の通信制限回数が、その通信端末（Ａ）又はこれに関連する通信端末について設定された通信回数優遇度に基づいて、第１通信制限回数よりも多い第２通信制限回数に設定される。【０１０８】
ここで、通信端末に関連する通信端末としては、例えば、通信相手先の通信端末、又は家族、友人、社員その他の関係者間で所有する通信端末が含まれる。通信相手先の通信端末の場合、通信相手先の通信端末について支払った又は支払うべき料金が通信回数優遇度の基準となり、通信相手先の通信端末について設定された通信回数優遇度が基準となる。また、家族、友人、社員その他の関係者間で所有する通信端末の場合、それら通信端末のいずれか又はすべてについて支払った又は支払うべき料金が通信回数優遇度の基準となり、それら通信端末のいずれか又はすべてについて設定された通信回数優遇度が基準となる。【０１０９】
また、通信回数優遇度は、通信回数を優遇する度合いを示すものをいい、これには、例えば、通信回数を優遇するか否か（優遇の有無）を示すもの、優遇する通信ほど高い値を示すもの、優遇する通信ほど低い値を示すもの、通信制限回数設定手段で設定される通信制限回数を示すもの、現在の通信制限回数から通信制限回数設定手段で設定される通信制限回数までの差分を示すものが含まれる。通信回数優遇度は、例えば、数値、文字、記号、図形、画像その他の識別子で表すことができる。【０１１０】
また、通信回数優遇度設定手段による「設定」としては、例えば、次の場合が含まれる。第１は、本システムがアクセス可能な記憶手段に通信回数優遇度（情報）を記憶し、通信回数優遇度が記憶された記憶手段を本システムがアクセス可能な記憶手段として加え、若しくは通信回数優遇度が記憶された記憶手段を本システムがアクセス可能な記憶手段に変換し、又は本システムに通信回数優遇度を入力することである。第２は、本システムがアクセス可能な記憶手段に通信回数優遇度が記憶され、又は本システムに通信回数優遇度が入力されている本システムについて、通信網への接続（配線、本システムの始動、送受信用プログラムの起動その他の一連の行為により行われる場合は、当該一連の行為のうち最後のものをいう。）を行うことである。【０１１１】
また、通信制限回数設定手段は、任意のタイミングで通信制限回数を設定することができ、例えば、通信端末から通信が要求された場合、又は通信端末の通信が待機中である場合に、通信制限回数を設定することができる。【０１１２】
〔発明３０〕  さらに、発明３０の通信制御システムは、通信網を介して通信端末が行う通信を制御する通信制御システムであって、前記通信網の異常時における前記通信端末の通信を、前記通信網の正常時よりも少ない第１通信制限料金で行う異常時通信手段を備える。【０１１３】
このような構成であれば、通信網の異常時は、異常時通信手段により、通信端末の通信が、通信網の正常時よりも少ない第１通信制限料金（例えば、都度通信制限料金又は累積通信制限料金）で行われる。【０１１４】
ここで、通信網の正常時における通信端末の通信は、無制限で行う場合、又は所定の通信制限料金で行う場合が含まれる。【０１１５】
〔発明３１〕  さらに、発明３１の通信制御システムは、発明３０の通信制御システムにおいて、前記通信端末ごとに、当該通信端末又はこれに関連する通信端末について支払った又は支払うべき料金に基づいて通信料金優遇度を設定する通信料金優遇度設定手段と、前記正常時における前記通信端末の通信を、当該通信端末又はこれに関連する通信端末について前記通信料金優遇度設定手段で設定された通信料金優遇度にかかわらず行う通信実施手段と、前記異常時における前記通信端末の通信制限料金を、当該通信端末又はこれに関連する通信端末について前記通信料金優遇度設定手段で設定された通信料金優遇度に基づいて、前記第１通信制限料金よりも多い第２通信制限料金に設定する通信制限料金設定手段とを備える。【０１１６】
このような構成であれば、通信料金優遇度設定手段により、通信端末ごとに、その通信端末又はこれに関連する通信端末について支払った又は支払うべき料金に基づいて通信料金優遇度が設定される。【０１１７】
通信網の正常時は、通信実施手段により、通信端末（Ａ）の通信が、その通信端末（Ａ）又はこれに関連する通信端末について設定された通信料金優遇度にかかわらず行われる。これに対し、通信網の異常時は、通信制限料金設定手段により、通信端末（Ａ）の通信制限料金（例えば、都度通信制限料金又は累積通信制限料金）が、その通信端末（Ａ）又はこれに関連する通信端末について設定された通信料金優遇度に基づいて、第１通信制限料金よりも多い第２通信制限料金（例えば、都度通信制限料金又は累積通信制限料金）に設定される。【０１１８】
ここで、通信料金優遇度は、通信料金を優遇する度合いを示すものをいい、これには、例えば、通信料金を優遇するか否か（優遇の有無）を示すもの、優遇する通信ほど高い値を示すもの、優遇する通信ほど低い値を示すもの、通信制限料金設定手段で設定される通信制限料金を示すもの、現在の通信制限料金から通信制限料金設定手段で設定される通信制限料金までの差分を示すものが含まれる。通信料金優遇度は、例えば、数値、文字、記号、図形、画像その他の識別子で表すことができる。【０１１９】
また、通信制限料金設定手段は、任意のタイミングで通信制限料金を設定することができ、例えば、通信端末から通信が要求された場合、又は通信端末の通信が待機中である場合に、通信制限料金を設定することができる。
【発明の効果】
【０１２０】
以上説明したように、発明１又は２の通信制御システムによれば、支払った又は支払うべき料金に基づいて優先度が設定されるので、通信端末の利用者は、料金を支払うことで通信網の異常時に優先的に通信を確保することができる。【０１２１】
さらに、発明３又は５の通信制御システムによれば、事前課金手段で課金した料金に基づいて優先度が設定されるので、通信端末の利用者は、事前に料金を支払うことで通信網の異常時に優先的な通信を確保することができる。【０１２２】
さらに、発明４又は５の通信制御システムによれば、事後課金手段で課金した料金に基づいて優先度が設定されるので、通信端末の利用者は、通信網の異常時に料金を支払うことで通信網の異常時に優先的な通信を確保することができる。【０１２３】
さらに、発明５の通信制御システムによれば、同一の優先度について、事後課金手段で課金する料金が、事前課金手段で課金する料金よりも高く設定されているので、通信端末の利用者は、できるだけ事前に料金を支払うようになる。事前に料金が支払われれば、電気通信事業者は、その資金を設備投資等に運用することができる。【０１２４】
さらに、発明６の通信制御システムによれば、特定の通信先に発信するだけで課金が行われるので、課金手続が容易となる。【０１２５】
さらに、発明７又は８の通信制御システムによれば、通信網の異常時に効率よく通信が行われ、多くの人が通信できるようになることが期待できる。【０１２６】
さらに、発明９又は１０の通信制御システムによれば、通信端末の利用者は、通信網の異常時に通信許可データ量を有効に使おうとする。なぜならば、通信データ量をできるだけ少なくしないと、多くの相手と通信できなくなるからである。したがって、通信網の異常時に効率よく通信が行われ、多くの人が通信できるようになることが期待できる。【０１２７】
さらに、発明１１又は１２の通信制御システムによれば、通信端末の利用者は、通信網の異常時に通信許可料金を有効に使おうとする。なぜならば、通信料金をできるだけ少なくしないと、多くの相手と通信できなくなるからである。したがって、通信網の異常時に効率よく通信が行われ、多くの人が通信できるようになることが期待できる。【０１２８】
さらに、発明１３の通信制御システムによれば、通信網の異常時は、通信網の正常時よりも通信料金が高くなるので、通信端末の利用者は、通信料金ができるだけ安くなるように通信しようとする。したがって、通信網の異常時に効率よく通信が行われ、多くの人が通信できるようになることが期待できる。【０１２９】
さらに、発明１４の通信制御システムによれば、支払った又は支払うべき料金に基づいて通信料金優遇度が設定されるので、通信端末の利用者は、料金を支払うことで通信網の異常時に有利な通信を確保することができる。【０１３０】
さらに、発明１５又は１７の通信制御システムによれば、事前課金手段で課金した料金に基づいて通信料金優遇度が設定されるので、通信端末の利用者は、事前に料金を支払うことで通信網の異常時に有利な通信を確保することができる。【０１３１】
さらに、発明１６又は１７の通信制御システムによれば、事後課金手段で課金した料金に基づいて通信料金優遇度が設定されるので、通信端末の利用者は、通信網の異常時に料金を支払うことで通信網の異常時に有利な通信を確保することができる。【０１３２】
さらに、発明１７の通信制御システムによれば、同一の通信料金優遇度について、事後課金手段で課金する料金が、事前課金手段で課金する料金よりも高く設定されているので、通信端末の利用者は、できるだけ事前に料金を支払うようになる。事前に料金が支払われれば、電気通信事業者は、その資金を設備投資等に運用することができる。【０１３３】
さらに、発明１８の通信制御システムによれば、特定の通信先に発信するだけで課金が行われるので、課金手続が容易となる。【０１３４】
さらに、発明１９の通信制御システムによれば、１又は複数の通信端末から要求された又は要求される通信の要求度に基づいて第１通信料金が増加又は減少するので、通信端末の利用者は、１又は複数の通信端末から要求された又は要求される通信の要求度に応じて通信料金ができるだけ安くなるように通信しようとする。したがって、通信網の異常時により効率よく通信が行われることが期待できる。【０１３５】
さらに、発明２０の通信制御システムによれば、１又は複数の通信端末が通信した通信時間に基づいて第１通信料金が増加又は減少するので、通信端末の利用者は、１又は複数の通信端末が通信した通信時間に応じて通信料金ができるだけ安くなるように通信しようとする。したがって、通信網の異常時により効率よく通信が行われることが期待できる。【０１３６】
さらに、発明２１の通信制御システムによれば、１又は複数の通信端末が通信した通信データ量に基づいて第１通信料金が増加又は減少するので、通信端末の利用者は、１又は複数の通信端末が通信した通信データ量に応じて通信料金ができるだけ安くなるように通信しようとする。したがって、通信網の異常時により効率よく通信が行われることが期待できる。【０１３７】
さらに、発明２２の通信制御システムによれば、１又は複数の通信端末が通信した通信回数に基づいて第１通信料金が増加又は減少するので、通信端末の利用者は、１又は複数の通信端末が通信した通信回数に応じて通信料金ができるだけ安くなるように通信しようとする。したがって、通信網の異常時により効率よく通信が行われることが期待できる。【０１３８】
さらに、発明２３の通信制御システムによれば、１又は複数の通信端末が通信に要した通信料金に基づいて第１通信料金が増加又は減少するので、通信端末の利用者は、１又は複数の通信端末が通信に要した通信料金に応じて通信料金ができるだけ安くなるように通信しようとする。したがって、通信網の異常時により効率よく通信が行われることが期待できる。【０１３９】
さらに、発明２４の通信制御システムによれば、通信網の異常時は、通信網の正常時よりも通信制限時間が短くなるので、通信端末の利用者は、通信時間ができるだけ短くなるように通信しようとする。したがって、通信網の異常時に効率よく通信が行われ、多くの人が通信できるようになることが期待できる。【０１４０】
さらに、発明２５の通信制御システムによれば、支払った又は支払うべき料金に基づいて通信時間優遇度が設定されるので、通信端末の利用者は、料金を支払うことで通信網の異常時に有利な通信を確保することができる。【０１４１】
さらに、発明２６の通信制御システムによれば、通信網の異常時は、通信網の正常時よりも通信制限データ量が少なくなるので、通信端末の利用者は、通信データ量ができるだけ少なくなるように通信しようとする。したがって、通信網の異常時に効率よく通信が行われ、多くの人が通信できるようになることが期待できる。【０１４２】
さらに、発明２７の通信制御システムによれば、支払った又は支払うべき料金に基づいて通信データ量優遇度が設定されるので、通信端末の利用者は、料金を支払うことで通信網の異常時に有利な通信を確保することができる。【０１４３】
さらに、発明２８の通信制御システムによれば、通信網の異常時は、通信網の正常時よりも通信制限回数が少なくなるので、通信端末の利用者は、通信回数ができるだけ少なくなるように通信しようとする。したがって、通信網の異常時に効率よく通信が行われ、多くの人が通信できるようになることが期待できる。【０１４４】
さらに、発明２９の通信制御システムによれば、支払った又は支払うべき料金に基づいて通信回数優遇度が設定されるので、通信端末の利用者は、料金を支払うことで通信網の異常時に有利な通信を確保することができる。【０１４５】
さらに、発明３０の通信制御システムによれば、通信網の異常時は、通信網の正常時よりも通信制限料金が少なくなるので、通信端末の利用者は、通信料金ができるだけ安くなるように通信しようとする。したがって、通信網の異常時に効率よく通信が行われ、多くの人が通信できるようになることが期待できる。【０１４６】
さらに、発明３１の通信制御システムによれば、発明１４の通信制御システムと同等の効果が得られる。
【図面の簡単な説明】
【０１４７】
【図１】通信制御システム１００の構成を示す図である。
【図２】通話待ちキュー３０のデータ構造を示す図である。
【図３】通信制御情報２０のデータ構造を示す図である。
【図４】通信制御情報２０のダウンロード処理を示すシーケンス図である。
【図５】発信制御処理を示すフローチャートである。
【図６】正常時発信制御処理を示すフローチャートである。
【図７】輻輳時発信制御処理を示すフローチャートである。
【図８】発信制御処理を示すフローチャートである。
【図９】正常時発信制御処理を示すフローチャートである。
【図１０】輻輳時発信制御処理を示すフローチャートである。
【図１１】通信制御情報２０のデータ構造を示す図である。
【図１２】正常時発信制御処理を示すフローチャートである。
【図１３】輻輳時発信制御処理を示すフローチャートである。
【図１４】輻輳時通話料金設定処理を示すフローチャートである。
【発明を実施するための形態】
【０１４８】
〔第１の実施の形態〕
以下、本発明の第１の実施の形態を説明する。図１乃至図８は、本実施の形態を示す図である。
【０１４９】
本実施の形態に係る通信制御システムは、大規模災害発生時、通信網や交換局の障害発生時、イベント等による通信要求が短時間に急増した場合等において通信網が輻輳状態となった場合に、通信網を介して携帯電話機が行う通話を制御するシステムである。
【０１５０】
まず、本実施の形態に係る通信制御システム１００の構成を説明する。
図１は、通信制御システム１００の構成を示す図である。
【０１５１】
通信制御システム１００は、図１に示すように、携帯電話機２の利用者に対して通信サービスを提供するものであり、携帯電話機２に無線接続する無線基地局装置（ＢＴＳ：Base Transceiver Station）３と、複数の無線基地局装置３に無線接続された無線ネットワーク制御装置（ＲＮＣ：Radio Network Controller）４と、無線ネットワーク制御装置４に接続された加入者交換機５と、中継用交換機６を介して加入者交換機５と接続されたオペレーションセンタ７とを有して構成されている。
【０１５２】
通信制御システム１００は、通信網が輻輳状態となった場合に、携帯電話機２ごとに設定された通信制御情報に基づいて通信網が携帯電話機２の通信を制御するシステムである。なお、本実施の形態では、説明を簡単にするために単一のオペレーションセンタ７及び中継用交換機６、並びに２つの加入者交換機５を図示したが、この構成に限定されるものではなく、それらの数は任意である。
【０１５３】
通信制御システム１００は、我が国における移動通信システムであるセルラーシステム（ＰＤＣ：Personal Digital Cellular telecommunication system）と同様に、ゾーン方式が採用されてサービスエリア内に多数の無線ゾーンが配置されている。各々の無線ゾーンにおける通信制御は、無線基地局装置３により行われる。例えば、無線ゾーンＡ１に属する携帯電話機２が他の通信端末と通信する場合は、無線ゾーンＡ１の通信制御を行う無線基地局装置３を介して加入者交換機５に接続され、加入者交換機５から中継用交換機６に接続される。また、携帯電話機２は移動可能であるので、無線ゾーンＡ１からゾーン外へ移動した場合は、隣接する無線ゾーンＡ２に属するようになる。無線ゾーンＡ２に属する携帯電話機２が他の通信端末と通信する場合は、無線ゾーンＡ２の通信制御を行う無線基地局装置３を介して加入者交換機５に接続され、加入者交換機５から中継用交換機６に接続される。このように、携帯電話機２は、自己が属している無線ゾーンの通信制御を行う無線基地局装置３と無線回線を介して接続されることにより他の通信端末と通信を行うことができる。
【０１５４】
通信制御システム１００では、通信及び無線回線の制御を行うために情報チャンネル及び制御チャンネルからなる論理チャンネルが用意されている。情報チャンネルは、携帯電話機２が音声信号やデータ信号を送受信するためのものであり、特定の携帯電話機２に割り当てられると、通信が終了するまではその携帯電話機２により占有される。また、制御チャンネルは、接続制御に必要な制御信号を転送するチャンネルであり、無線ゾーン内のすべての携帯電話機２に共通に報知する情報を転送するための下りのみの片方向チャンネルである報知チャンネル（ＢＣＣＨ：Broadcasting Control CHannel）や、携帯電話機２に着信を報知したり、携帯電話機２からランダムに発せされる位置登録要求や発呼要求又はデータ送信要求を通知したりする共通制御チャンネル（ＣＣＣＨ：Common Control CHannel）等のチャンネルからなっている。
【０１５５】
携帯電話機２は、共通制御チャンネルを使用して無線基地局装置３に位置登録要求を行うことにより、例えば無線ゾーンＡ１に属することになる。携帯電話機２が他の携帯電話機２と通信する場合は、携帯電話機２は、通信相手先の電話番号情報を含む発呼信号を共通制御チャンネルを使用して無線基地局装置３に送信する。無線基地局装置３が発呼信号を受信すると、その発呼信号は、加入者交換機５を経由して中継用交換機６に送信される。そして、中継用交換機６は、他の加入者交換機５を介して通信相手先に着呼信号を送信し、その通信相手先と携帯電話機２との間に回線を設定する。無線基地局装置３は、無線ゾーンＡ１における情報チャンネルの空きチャンネルを携帯電話機２に割り当てる。これにより、携帯電話機２は、通信相手先と通信することができる。
【０１５６】
無線ネットワーク制御装置４は、携帯電話機２と無線基地局装置３との間の無線回線を監視するほか、携帯電話機２との間に無線チャネルを割り当てる等の無線制御を行う。無線ネットワーク制御装置４は、音声交換機５１及びパケット交換機５２に接続されている。無線ネットワーク制御装置４は、携帯電話機２から受信した通話信号を音声交換機５１に送信するとともに、携帯電話機２から受信したデータ信号をパケット交換機５２に送信する。
【０１５７】
加入者交換機５は、音声交換機５１と、パケット交換機（ＬＳ／ＳＧＳＮ：Serving GPRS Support Node）５２とを有して構成されている。
【０１５８】
音声交換機５１は、無線ネットワーク制御装置４から受信した通話信号を、宛先の携帯電話機２が属する無線基地局装置３に中継するとともに、中継用音声交換機６１を介してオペレーションセンタ７から受信した通話信号を無線ネットワーク制御装置４に中継する。
【０１５９】
パケット交換機５２は、無線ネットワーク制御装置４から受信したデータ信号を、宛先の携帯電話機２が属する無線基地局装置３に中継するとともに、中継用パケット交換機６２を介してオペレーションセンタ７から受信したデータ信号を無線ネットワーク制御装置４に中継する。
【０１６０】
加入者交換機５は、ビジターロケーションレジスタ（ＶＬＲ：Visitor Location Register）５３に接続されている。
【０１６１】
ビジターロケーションレジスタ５３は、加入者交換機５が管轄する在圏エリア内の携帯電話機２を管理するための携帯電話機２の位置登録情報を記憶するとともに、携帯電話機２の通信制御情報を記憶するデータベースである。なお、ビジターロケーションレジスタ５３は、加入者交換機５がアクセス可能な構成であれば、加入者交換機５の外部又は内部に設けることが可能である。
【０１６２】
加入者交換機５は、例えば、携帯電話機２から位置登録要求を受信した場合に、携帯電話機２の位置登録情報とともに通信制御情報をホームロケーションレジスタ（ＨＬＲ：Home Location Register）７１からダウンロードしてビジターロケーションレジスタ５３に記憶し、位置登録情報に基づいて位置登録処理を行うとともに、通信制御情報に基づいて携帯電話機２の発信制御処理を行う。
【０１６３】
中継用交換機６は、加入者交換機５、関門用交換機９及びゲートウェイ（ＧＷ：Gateway）１０にそれぞれ接続されている。関門用交換機９は、ＰＯＩ（Point Of Interface）１２を介して他の関門用交換機１３に接続され、ゲートウェイ１０は、インターネットに接続されている。
【０１６４】
中継用交換機６は、中継用音声交換機６１と、中継用パケット交換機（ＧＳ／ＧＧＳＮ：Gateway GPRS Support Node）６２とを有して構成されている。
【０１６５】
中継用音声交換機６１は、音声交換機５１から受信した通話信号をオペレーションセンタ７に中継するとともに、オペレーションセンタ７から受信した通話信号を音声交換機５１に中継する。
【０１６６】
中継用パケット交換機６２は、パケット交換機５２から受信したデータ信号をオペレーションセンタ７に中継するとともに、オペレーションセンタ７から受信したデータ信号をパケット交換機５２に中継する。
【０１６７】
オペレーションセンタ７は、すべての携帯電話機２に対して通信サービス、通信の利用を制限する利用制限サービス及び各携帯電話機２が契約する様々なサービスを提供するサーバ機能を備える。
【０１６８】
オペレーションセンタ７は、ホームロケーションレジスタ７１に接続されている。
ホームロケーションレジスタ７１は、オペレーションセンタ７が管轄する在圏エリア内のすべての携帯電話機２の利用者情報（電話番号、ＩＰアドレス、認証情報等）、契約サービス情報、位置登録情報（位置登録エリア、位置登録エリアの交換機）及び携帯電話機２の通信経路の設定に必要な情報を記憶するほか、携帯電話機２の通信制御情報を記憶するデータベースである。なお、ホームロケーションレジスタ７１は、オペレーションセンタ７がアクセス可能な構成であれば、オペレーションセンタ７の外部又は内部に設けることが可能である。
【０１６９】
次に、ビジターロケーションレジスタ５３に記憶されている通話待ちキューのデータ構造を説明する。
【０１７０】
図２は、通話待ちキュー３０のデータ構造を示す図である。
ビジターロケーションレジスタ５３には、図２に示すように、携帯電話機２から要求された通話を加入者交換機５がＦＩＦＯ（First In First Out）方式で処理するための通話待ちキュー３０が記憶されている。
【０１７１】
通話待ちキュー３０は、発呼要求ごとに１つのレコードが登録される。各レコードは、発信側の電話番号を登録するフィールドと、着信側の電話番号を登録するフィールドとを含む。これは、発信側の電話番号の携帯端末機２が、着信側の電話番号の通信相手先と通話する要求であることを示している。携帯電話機２から発呼要求があった場合は、その発呼要求は、通話待ちキュー３０の末尾に登録される。そして、発呼要求は、通話待ちキュー３０の先頭から取得され順次処理される。ただし、優先度が設定された携帯電話機２からの発呼要求は、通話待ちキュー３０において、その通信制御情報に設定されている順位に登録される。
【０１７２】
次に、通信制御情報のデータ構造を説明する。
図３は、通信制御情報２０のデータ構造を示す図である。
【０１７３】
ホームロケーションレジスタ７１は、図３に示すように、オペレーションセンタ７が管轄する在圏エリア内のすべての携帯電話機２の通信制御情報２０を記憶している。通信制御情報２０は、携帯電話機２ごとに１つのレコードが登録されている。各レコードは、携帯電話機２の電話番号を登録したフィールドと、携帯電話機２の利用者が契約している料金プランを登録したフィールドと、通話待ちキュー３０の順位（優先度）を登録したフィールドとを含む。
【０１７４】
通話待ちキュー３０の順位は、オペレーションセンタ７の設定処理（優先度設定手段）により料金プランに応じて設定される。例えば、１番高額の料金プランＡ（例えば、月額４０００円）では、通話待ちキュー３０の順位が第１位に設定される。これは、通話待ちキュー３０の第１位に発呼要求が登録されることとなるので、輻輳時に第１位の優先順位で通話できることを示している。２番目に高額の料金プランＢ（例えば、月額３０００円）では、通話待ちキュー３０の順位が第５位に設定される。これは、通話待ちキュー３０の第５位に発呼要求が登録されることとなるので、輻輳時に第５位の優先順位で通話できることを示している。１番低額の料金プランＣ（例えば、月額２０００円）では、通話待ちキュー３０の順位が設定されない。これは、通話待ちキュー３０の末尾に発呼要求が登録されることとなるので、輻輳時に発呼要求順でなければ通話できないことを示している。料金プランは、携帯電話機２の利用者の申し出を受けて電気通信事業者がオペレーションセンタ７で設定するか、携帯電話機２の利用者が自らの携帯電話機２で設定することができる。料金プランに係る料金は、輻輳時に先立って所定のタイミング（例えば、毎月２５日）でオペレーションセンタ７の事前課金処理（事前課金手段）により課金される。課金された料金の支払方法は、銀行振込、口座引落、クレジットカード決済、電子マネー決済、コンビニ払い等の公知の方法を採用することができる。
【０１７５】
次に、通信制御情報２０のダウンロード処理について説明する。
図４は、通信制御情報２０のダウンロード処理を示すシーケンス図である。
【０１７６】
通信制御情報２０のダウンロード処理は、加入者交換機５が携帯電話機２から位置登録要求を受信した場合に実行される処理である。なお、図４では、説明を簡単にするために、無線基地局装置３、無線ネットワーク制御装置４及び中継用交換機６を省略している。
【０１７７】
加入者交換機５は、図４に示すように、無線基地局装置３及び無線ネットワーク制御装置４を介して携帯電話機２から位置登録要求を受信すると（ステップＳ１００）、オペレーションセンタ７との間で要求元の携帯電話機２の認証処理を行う（ステップＳ１０２）。認証処理が終了すると、加入者交換機５は、位置登録要求をオペレーションセンタ７に送信する（ステップＳ１０４）。
【０１７８】
オペレーションセンタ７は、要求元の携帯電話機２の電話番号に基づいて、ホームロケーションレジスタ７１に記憶されているその携帯電話機２に対応する通信制御情報２０を読み出し（ステップＳ１０６）、読み出した通信制御情報２０を位置登録情報とともに要求元の加入者交換機５に送信する（ステップＳ１０８）。
【０１７９】
加入者交換機５は、受信した位置登録情報とともに通信制御情報２０をビジターロケーションレジスタ５３に記憶し（ステップＳ１１０）、無線基地局装置３及び無線ネットワーク制御装置４を介して要求元の携帯電話機２に位置登録応答を送信する（ステップＳ１１２）。
【０１８０】
次に、加入者交換機５で実行される発信制御処理を説明する。
図５は、発信制御処理を示すフローチャートである。
【０１８１】
発信制御処理は、携帯電話機２から発呼要求を受信した場合に実行される処理であって、加入者交換機５で実行されると、図５に示すように、まず、ステップＳ２００に移行する。
【０１８２】
ステップＳ２００では、オペレーションセンタ７が通信網の輻輳状態を検出した場合に加入者交換機５に輻輳検出信号を送信するが、その輻輳検出信号を受信することにより輻輳状態を検出したか否かを判定し、輻輳状態を検出しないと判定した場合(NO)は、ステップＳ２０２に移行する。
【０１８３】
ステップＳ２０２では、正常時（非輻輳時）に携帯電話機２の発呼を制御する正常時発信制御処理を実行し、一連の処理を終了する。
【０１８４】
一方、ステップＳ２００で、輻輳状態を検出したと判定した場合(YES)は、ステップＳ２０４に移行して、輻輳時に携帯電話機２の発呼を制御する輻輳時発信制御処理を実行し、一連の処理を終了する。
【０１８５】
次に、ステップＳ２０２の正常時発信制御処理を説明する。
図６は、正常時発信制御処理を示すフローチャートである。
【０１８６】
正常時発信制御処理は、加入者交換機５で実行されると、図６に示すように、まず、ステップＳ３００に移行する。
【０１８７】
ステップＳ３００では、空き回線があるか否かを判定し、空き回線があると判定した場合(YES)は、ステップＳ３０２に移行して、発呼要求に含まれる電話番号情報に基づいて通信相手先との回線を設定し、ステップＳ３０４に移行して、通信相手先との通話を行う発信処理を実行し、ステップＳ３０６に移行する。
【０１８８】
ステップＳ３０６では、通信相手先との通話が終了したか否かを判定し、通信相手先との通話が終了したと判定した場合(YES)は、ステップＳ３０８に移行して、通信相手先との回線を切断し、一連の処理を終了して元の処理に復帰させる。
【０１８９】
一方、ステップＳ３０６で、通信相手先との通話が終了していないと判定した場合(NO)は、ステップＳ３０４に移行する。
【０１９０】
一方、ステップＳ３００で、空き回線がないと判定した場合(NO)は、ステップＳ３１０に移行して、通信相手先との回線が設定できない旨のアナウンスを発呼要求元の携帯電話機２に通知したりする呼損処理を実行し、一連の処理を終了して元の処理に復帰させる。
【０１９１】
次に、ステップＳ２０４の輻輳時発信制御処理を説明する。
図７は、輻輳時発信制御処理を示すフローチャートである。
【０１９２】
輻輳時発信制御処理は、加入者交換機５で実行されると、図７に示すように、まず、ステップＳ４００に移行する。
【０１９３】
ステップＳ４００では、ビジターロケーションレジスタ５３に記憶されている発呼要求元の携帯電話機２に対応する通信制御情報２０（以下、対象通信制御情報という。）に通話待ちキュー３０の順位が設定されているか否かを判定し、通話待ちキュー３０の順位が設定されていると判定した場合(YES)は、ステップＳ４０２に移行する。
【０１９４】
ステップＳ４０２では、通話待ちキュー３０において、対象通信制御情報に設定されている順位に発呼要求を登録する。例えば、対象通信制御情報に設定されている順位が第１位である場合は、通話待ちキュー３０の現在の第１位以下の発呼要求の順位を１つずつ繰り下げ、対象の発呼要求を第１位に登録する。同様に、対象通信制御情報に設定されている順位が第５位である場合は、通話待ちキュー３０の現在の第５位以下の発呼要求の順位を１つずつ繰り下げ、対象の発呼要求を第５位に登録する。通信制御情報に設定されている順位以下の発呼要求が存在しない場合は、対象の発呼要求を通話待ちキュー３０の末尾に登録する。
【０１９５】
ステップＳ４０２の処理が終了すると、一連の処理を終了して元の処理に復帰させる。
一方、ステップＳ４００で、対象通信制御情報に通話待ちキュー３０の順位が設定されていないと判定した場合(NO)は、ステップＳ４０４に移行して、通話待ちキュー３０の末尾に発呼要求を登録し、一連の処理を終了して元の処理に復帰させる。
【０１９６】
次に、加入者交換機５で実行される輻輳時発呼要求処理を説明する。
図８は、発信制御処理を示すフローチャートである。
【０１９７】
輻輳時発呼要求処理は、輻輳時に所定周期で繰り返し実行される処理であって、加入者交換機５で実行されると、図８に示すように、まず、ステップＳ５００に移行する。
【０１９８】
ステップＳ５００では、通話待ちキュー３０に発呼要求が登録されているか否かを判定し、発呼要求が登録されていると判定した場合(YES)は、ステップＳ５０２に移行して、空き回線があるか否かを判定し、空き回線があると判定した場合(YES)は、ステップＳ５０４に移行する。
【０１９９】
ステップＳ５０４では、通話待ちキュー３０の先頭から発呼要求を取得する。発呼要求を取得した場合は、通話待ちキュー３０の第２位以下の発呼要求の順位を１つずつ繰り上げる。
【０２００】
次いで、ステップＳ５０６に移行して、ステップＳ５０４で取得した発呼要求に含まれる電話番号情報に基づいて通信相手先との回線を設定し、ステップＳ５０８に移行して、ステップＳ３０４と同様の発信処理を実行し、ステップＳ５１０に移行する。
【０２０１】
ステップＳ５１０では、通信相手先との通話が終了したか否かを判定し、通信相手先との通話が終了したと判定した場合(YES)は、ステップＳ５１２に移行して、通信相手先との回線を切断し、一連の処理を終了して元の処理に復帰させる。
【０２０２】
一方、ステップＳ５１０で、通信相手先との通話が終了していないと判定した場合(NO)は、ステップＳ５０８に移行する。
【０２０３】
一方、ステップＳ５０２で、空き回線がないと判定した場合(NO)は、ステップＳ５１４に移行して、通信相手先との回線設定が待機中である旨のアナウンスを発呼要求元の携帯電話機２に通知したりする待機案内処理を実行し、一連の処理を終了して元の処理に復帰させる。
【０２０４】
一方、ステップＳ５００で、通話待ちキュー３０に発呼要求が登録されていないと判定した場合(NO)は、一連の処理を終了して元の処理に復帰させる。
【０２０５】
次に、本実施の形態の動作を説明する。
携帯電話機２の利用者は、輻輳時に先立って料金を支払う手続を行うことができる。具体的には、料金プランＡ〜Ｃのいずれかを選択する。この場合、オペレーションセンタ７の事前課金処理により、輻輳時に優先的に通話を行うために必要な料金が輻輳時に先立って課金される。そして、オペレーションセンタ７の設定処理により、携帯電話機２ごとに、課金された料金に基づいて通話待ちキュー３０の順位が設定される。
【０２０６】
通信網の正常時は、加入者交換機５により、ステップＳ３０４を経て、携帯電話機２からの発呼要求に応じて、携帯電話機２の通話が、その携帯電話機２について設定された順位にかかわらず行われる。
【０２０７】
オペレーションセンタ７により輻輳状態が検出されると、輻輳検出信号が加入者交換機５に送信される。加入者交換機５では、輻輳検出信号を受信すると、輻輳状態が検出されたと判定されるので、携帯電話機２の利用者は、輻輳時に、その携帯電話機２について設定された順位で通話することができる。
【０２０８】
例えば、料金プランＡを事前に選択していると、通話待ちキュー３０の順位が第１位に設定されるので、携帯電話機２の利用者は、輻輳時に第１位の優先順位で通話することができる。また、料金プランＢを事前に選択していると、通話待ちキュー３０の順位が第５位に設定されるので、携帯電話機２の利用者は、輻輳時に第５位の優先順位で通話することができる。
【０２０９】
これに対し、料金プランＣを事前に選択していると、通話待ちキュー３０の順位が設定されないので、携帯電話機２の利用者は、輻輳時に発呼要求順でなければ通話することができない。ただし、携帯電話機２の利用者は、輻輳時に料金を支払う手続を行うこともできる。この場合、オペレーションセンタ７の事後課金処理により、輻輳時に優先的に通話を行うために必要な料金が輻輳時に課金される。ある料金プランについて輻輳時に課金する料金は、その料金プランについて事前に課金する料金よりも高く設定されている。そして、オペレーションセンタ７の設定処理により、その携帯電話機２に対して、課金された料金に基づいて通話待ちキュー３０の順位が設定される。これにより、携帯電話機２の利用者は、優先的に通話することができるようになる。
【０２１０】
このようにして、本実施の形態では、携帯電話機２ごとに、その携帯電話機２について支払った又は支払うべき料金に基づいて通話待ちキュー３０の順位を設定し、正常時は、携帯電話機２からの発呼要求に応じて、携帯電話機２の通話を、その携帯電話機２について設定された順位にかかわらず行い、輻輳時は、携帯電話機２から要求された通話をＦＩＦＯ方式で処理し、通話待ちキュー３０において、携帯電話機２からの発呼要求を、その携帯電話機２について設定された順位に設定する。
【０２１１】
これにより、支払った又は支払うべき料金に基づいて通話待ちキュー３０の順位が設定されるので、携帯電話機２の利用者は、料金を支払うことで輻輳時に優先的に通信を確保することができる。
【０２１２】
さらに、本実施の形態では、輻輳時に優先的に通話を行うために必要な料金を輻輳時に先立って課金し、課金した料金に基づいて通話待ちキュー３０の順位を設定する。
【０２１３】
これにより、携帯電話機２の利用者は、事前に料金を支払うことで輻輳時に優先的な通話を確保することができる。
【０２１４】
さらに、本実施の形態では、輻輳時に優先的に通話を行うために必要な料金を輻輳時に課金し、課金した料金に基づいて通話待ちキュー３０の順位を設定する。
【０２１５】
これにより、携帯電話機２の利用者は、輻輳時に料金を支払うことで輻輳時に優先的な通話を確保することができる。
【０２１６】
さらに、本実施の形態では、ある料金プランについて輻輳時に課金する料金は、その料金プランについて事前に課金する料金よりも高く設定した。
【０２１７】
これにより、携帯電話機２の利用者は、できるだけ事前に料金を支払うようになる。事前に料金が支払われれば、電気通信事業者は、その資金を設備投資等に運用することができる。
【０２１８】
本実施の形態において、携帯電話機２は、発明１の通信端末に対応し、ステップＳ３０４は、発明１の通信実施手段に対応し、ステップＳ４０２は、発明１の順位設定手段に対応し、ステップＳ４０４、ステップＳ５０４〜Ｓ５１２は、発明１の順序処理手段に対応している。また、オペレーションセンタ７の設定処理は、発明１、３乃至５の優先度設定手段に対応し、オペレーションセンタ７の事前課金処理は、発明３又は５の事前課金手段に対応し、オペレーションセンタ７の事後課金処理は、発明４又は５の事後課金手段に対応している。
【０２１９】
また、本実施の形態において、通話待ちキュー３０の順位は、発明１、３乃至５の優先度に対応している。
【０２２０】
〔第１の実施の形態の変形例〕
なお、上記第１の実施の形態においては、さらに次の構成を適用することもできる。
【０２２１】
第１の構成は、携帯電話機２ごとに、その携帯電話機２又はこれに関連する通話端末について支払った又は支払うべき料金に基づいて通話許可時間（例えば、都度通話許可時間又は累積通話許可時間。以下、同じ。）を設定し、正常時は、携帯電話機２の通話を、その携帯電話機２又はこれに関連する通話端末について設定された通話許可時間にかかわらず行い、輻輳時は、携帯電話機２が通話した通話時間（例えば、都度通話時間又は累積通話時間）を算出し、携帯電話機２について算出した通話時間が、その携帯電話機２又はこれに関連する通話端末について設定された通話許可時間を超えた場合は、その携帯電話機２の通話を禁止する。ここで、都度通話許可時間とは、１回の通話ごとに通話を許可する時間をいい、累積通話許可時間とは、複数回の通話にわたり通話を許可する時間をいう。以下、「都度」「累積」の用語の意義は同様である。
【０２２２】
これにより、携帯電話機２の利用者は、輻輳時に通話許可時間を有効に使おうとする。なぜならば、通話時間をできるだけ短くしないと、多くの相手と通話できなくなるからである。したがって、輻輳時に効率よく通話が行われ、多くの人が通話できるようになることが期待できる。また、支払った又は支払うべき料金に基づいて通話許可時間が設定されるので、利用者は、料金を支払うことで輻輳時に多くの通話時間を確保することができる。
【０２２３】
第２の構成は、携帯電話機２ごとに、その携帯電話機２又はこれに関連する通話端末について支払った又は支払うべき料金に基づいて通話許可時間を設定し、正常時は、携帯電話機２の通話を、その携帯電話機２又はこれに関連する通話端末について設定された通話許可時間にかかわらず行い、輻輳時は、携帯電話機２又はこれに関連する通話端末について設定された通話許可時間に基づいて、その携帯電話機２が通話可能な残り通話時間（例えば、都度残り通話時間又は累積残り通話時間）を算出し、携帯電話機２について算出した残り通話時間を消化した場合は、その携帯電話機２の通話を禁止する。
【０２２４】
これにより、携帯電話機２の利用者は、輻輳時に通話許可時間を有効に使おうとする。なぜならば、通話時間をできるだけ短くしないと、多くの相手と通話できなくなるからである。したがって、輻輳時に効率よく通話が行われ、多くの人が通話できるようになることが期待できる。また、支払った又は支払うべき料金に基づいて通話許可時間が設定されるので、利用者は、料金を支払うことで輻輳時に多くの通話時間を確保することができる。
【０２２５】
第３の構成は、携帯電話機２ごとに、その携帯電話機２又はこれに関連する通話端末について支払った又は支払うべき料金に基づいて通話許可データ量（例えば、都度通話許可データ量又は累積通話許可データ量。以下、同じ。）を設定し、正常時は、携帯電話機２の通話を、その携帯電話機２又はこれに関連する通話端末について設定された通話許可データ量にかかわらず行い、輻輳時は、携帯電話機２が通話した通話データ量（例えば、都度通話データ量又は累積通話データ量。以下、同じ。）を算出し、携帯電話機２について算出した通話データ量が、その携帯電話機２又はこれに関連する通話端末について設定された通話許可データ量を超えた場合は、その携帯電話機２の通話を禁止する。
【０２２６】
これにより、携帯電話機２の利用者は、輻輳時に通話許可データ量を有効に使おうとする。なぜならば、通話データ量をできるだけ少なくしないと、多くの相手と通話できなくなるからである。したがって、輻輳時に効率よく通話が行われ、多くの人が通話できるようになることが期待できる。また、支払った又は支払うべき料金に基づいて通話許可データ量が設定されるので、利用者は、料金を支払うことで輻輳時に多くの通話データ量を確保することができる。
【０２２７】
第４の構成は、携帯電話機２ごとに、その携帯電話機２又はこれに関連する通話端末について支払った又は支払うべき料金に基づいて通話許可データ量を設定し、正常時は、携帯電話機２の通話を、その携帯電話機２又はこれに関連する通話端末について設定された通話許可データ量にかかわらず行い、輻輳時は、携帯電話機２又はこれに関連する通話端末について設定された通話許可データ量に基づいて、その携帯電話機２が通話可能な残り通話データ量（例えば、都度通話データ量又は累積通話データ量。以下、同じ。）を算出し、携帯電話機２について算出した残り通話データ量を消化した場合は、その携帯電話機２の通話を禁止する。
【０２２８】
これにより、携帯電話機２の利用者は、輻輳時に通話許可データ量を有効に使おうとする。なぜならば、通話データ量をできるだけ少なくしないと、多くの相手と通話できなくなるからである。したがって、輻輳時に効率よく通話が行われ、多くの人が通話できるようになることが期待できる。また、支払った又は支払うべき料金に基づいて通話許可データ量が設定されるので、利用者は、料金を支払うことで輻輳時に多くの通話データ量を確保することができる。
【０２２９】
第５の構成は、携帯電話機２ごとに、その携帯電話機２又はこれに関連する通話端末について支払った又は支払うべき料金に基づいて通話許可回数を設定し、正常時は、携帯電話機２の通話を、その携帯電話機２又はこれに関連する通話端末について設定された通話許可回数にかかわらず行い、輻輳時は、携帯電話機２が通話した通話回数を算出し、携帯電話機２について算出した通話回数が、その携帯電話機２又はこれに関連する通話端末について設定された通話許可回数を超えた場合は、その携帯電話機２の通話を禁止する。
【０２３０】
これにより、携帯電話機２の利用者は、輻輳時に通話許可回数を有効に使おうとする。なぜならば、通話回数をできるだけ少なくしないと、多くの相手と通話できなくなるからである。したがって、輻輳時に効率よく通話が行われ、多くの人が通話できるようになることが期待できる。また、支払った又は支払うべき料金に基づいて通話許可回数が設定されるので、利用者は、料金を支払うことで輻輳時に多くの通話回数を確保することができる。
【０２３１】
第６の構成は、携帯電話機２ごとに、その携帯電話機２又はこれに関連する通話端末について支払った又は支払うべき料金に基づいて通話許可回数を設定し、正常時は、携帯電話機２の通話を、その携帯電話機２又はこれに関連する通話端末について設定された通話許可回数にかかわらず行い、輻輳時は、携帯電話機２又はこれに関連する通話端末について設定された通話許可回数に基づいて、その携帯電話機２が通話可能な残り通話回数を算出し、携帯電話機２について算出した残り通話回数を消化した場合は、その携帯電話機２の通話を禁止する。
【０２３２】
これにより、携帯電話機２の利用者は、輻輳時に通話許可回数を有効に使おうとする。なぜならば、通話回数をできるだけ少なくしないと、多くの相手と通話できなくなるからである。したがって、輻輳時に効率よく通話が行われ、多くの人が通話できるようになることが期待できる。また、支払った又は支払うべき料金に基づいて通話許可回数が設定されるので、利用者は、料金を支払うことで輻輳時に多くの通話回数を確保することができる。
【０２３３】
第７の構成は、携帯電話機２ごとに、その携帯電話機２又はこれに関連する通話端末について支払った又は支払うべき料金に基づいて通話許可料金（例えば、都度通話許可料金又は累積通話許可料金。以下、同じ。）を設定し、正常時は、携帯電話機２の通話を、その携帯電話機２又はこれに関連する通話端末について設定された通話許可料金にかかわらず行い、輻輳時は、携帯電話機２が通話により発生した通話料金（例えば、都度通話料金又は累積通話料金。以下、同じ。）を算出し、携帯電話機２について算出した通話料金が、その携帯電話機２又はこれに関連する通話端末について設定された通話許可料金を超えた場合は、その携帯電話機２の通話を禁止する。
【０２３４】
これにより、携帯電話機２の利用者は、輻輳時に通話許可料金を有効に使おうとする。なぜならば、通話料金をできるだけ少なくしないと、多くの相手と通話できなくなるからである。したがって、輻輳時に効率よく通話が行われ、多くの人が通話できるようになることが期待できる。また、支払った又は支払うべき料金に基づいて通話許可料金が設定されるので、利用者は、料金を支払うことで輻輳時に多くの通話料金を確保することができる。
【０２３５】
第８の構成は、携帯電話機２ごとに、その携帯電話機２又はこれに関連する通話端末について支払った又は支払うべき料金に基づいて通話許可料金を設定し、正常時は、携帯電話機２の通話を、その携帯電話機２又はこれに関連する通話端末について設定された通話許可料金にかかわらず行い、輻輳時は、携帯電話機２又はこれに関連する通話端末について設定された通話許可料金に基づいて、その携帯電話機２が通話可能な残り通話料金（例えば、都度残り通話料金又は累積残り通話料金。以下、同じ。）を算出し、携帯電話機２について算出した残り通話料金を消化した場合は、その携帯電話機２の通話を禁止する。
【０２３６】
これにより、携帯電話機２の利用者は、輻輳時に通話許可料金を有効に使おうとする。なぜならば、通話料金をできるだけ少なくしないと、多くの相手と通話できなくなるからである。したがって、輻輳時に効率よく通話が行われ、多くの人が通話できるようになることが期待できる。また、支払った又は支払うべき料金に基づいて通話許可料金が設定されるので、利用者は、料金を支払うことで輻輳時に多くの通話料金を確保することができる。
【０２３７】
上記第１乃至第８の構成は、単独で採用することもできる。
また、上記第１の実施の形態及びその変形例において、輻輳時は、携帯電話機２から要求された通話をＦＩＦＯ方式で処理し、通話待ちキュー３０において、携帯電話機２からの発呼要求を、その携帯電話機２について設定された順位に設定するように構成したが、これに限らず、通話待ちキュー３０を設けず、輻輳時は、携帯電話機２から要求された通信を、その携帯電話機２について設定された優先度に基づいて他の通信よりも優先的に処理するように構成することもできる。
【０２３８】
また、上記第１の実施の形態及びその変形例において、正常時は、携帯電話機２からの発呼要求に応じて、携帯電話機２の通話を、その携帯電話機２について設定された順位にかかわらず行うように構成したが、これに限らず、正常時は、携帯電話機２から要求された通話をＦＩＦＯ方式で処理し、通話待ちキュー３０において、携帯電話機２からの発呼要求を、その携帯電話機２について設定された順位に設定するように構成することもできる。すなわち、正常時、輻輳時にかかわらず、通話待ちキュー３０による制御を行うことができる。
【０２３９】
また、上記第１の実施の形態及びその変形例においては、携帯電話機２ごとに、その携帯電話機２について支払った又は支払うべき料金に基づいて通話待ちキュー３０の順位を設定するように構成したが、これに限らず、携帯電話機２ごとに、その携帯電話機２に関連する通信端末について支払った又は支払うべき料金に基づいて通話待ちキュー３０の順位を設定するように構成することもできる。携帯電話機２に関連する通信端末としては、例えば、通信相手先の通信端末、又は家族、友人、社員その他の関係者間で所有する通信端末が含まれる。例えば、利用者Ａの携帯電話機２の順位は、利用者Ａの家族Ｂが所有する通信端末について家族Ｂが支払った又は支払うべき料金に基づいて設定される。この場合、家族Ｂが利用者Ａの分の料金を負担することとなる。
【０２４０】
また、上記第１の実施の形態及びその変形例において、正常時は、携帯電話機２の通話を、その携帯電話機２について設定された順位にかかわらず行うように構成したが、これに限らず、携帯電話機２の通話を、その携帯電話機２に関連する通信端末について設定された順位にかかわらず行うように構成することもできる。携帯電話機２に関連する通信端末は、上記同様である。
【０２４１】
また、上記第１の実施の形態及びその変形例において、輻輳時は、通話待ちキュー３０において、携帯電話機２からの発呼要求を、その携帯電話機２について設定された順位に設定するように構成したが、これに限らず、通話待ちキュー３０において、携帯電話機２からの発呼要求を、その携帯電話機２に関連する通信端末について設定された順位に設定するように構成することもできる。携帯電話機２に関連する通信端末は、上記同様である。これにより、例えば、通話相手先の負担で通話を優先的に行うことができる。
【０２４２】
また、上記第１の実施の形態及びその変形例においては、輻輳状態を検出した場合に携帯電話機２の通話を優先的に行うように構成したが、これに限らず、通信網の障害（機器や回線の故障を含む。）、人為的規制その他の異常が発生した場合に携帯電話機２の通話を優先的に行うように構成することもできる。人為的規制としては、例えば、オペレータ等が異常の発生を予測し、異常の旨を入力することが含まれる。
【０２４３】
また、上記第１の実施の形態及びその変形例においては、輻輳時その他の異常時に携帯電話機２の通話を優先的に行うように構成したが、これに限らず、非輻輳時その他の正常時に携帯電話機２の通話を優先的に行うように構成することもできる。
【０２４４】
また、上記第１の実施の形態及びその変形例においては、単に輻輳状態を検出した場合に携帯電話機２の通話を優先的に行うように構成したが、これに限らず、局所的な領域（例えば、東京ドーム球場）で輻輳状態を検出した場合に携帯電話機２の通話を優先的に行うように構成することもできる。例えば、その局所的な領域の無線ゾーンに属する携帯電話機２からの発呼及びその携帯電話機２への着呼を優先的に行うことができる。
【０２４５】
また、上記第１の実施の形態及びその変形例においては、オペレーションセンタ７の事後課金処理により輻輳時の課金を行うように構成したが、これに限らず、特定の電話番号（例えば、０９９０−ＸＸ−ＸＸＸＸ）に発呼することにより輻輳時の課金を行うように構成することもできる。これにより、特定の電話番号に発呼するだけで課金が行われるので、課金手続が容易となる。
【０２４６】
また、上記第１の実施の形態及びその変形例においては、オペレーションセンタ７の事後課金処理により輻輳時の課金を行うように構成したが、これに限らず、輻輳時その他の異常時（又は正常時）に、利用者が携帯電話機２により発呼を行うと、加入者交換機５は、空き回線があるか否かを判定し、空き回線があると判定した場合は、料金を支払うか否かのアナウンスを携帯電話機２に対して行い（例えば、音声ガイダンス）、料金を支払うことに利用者が同意した場合（例えば、プッシュボタンの「１」を押下した場合）は、課金を行うとともに発呼先の電話番号情報に基づいて通信相手方に接続するように構成することもできる。又は、輻輳時その他の異常時（又は正常時）に、利用者が携帯電話機２により特定の電話番号に発呼すると、加入者交換機５は、空き回線があるか否かを判定し、空き回線があると判定した場合は、料金を支払うか否かのアナウンスを携帯電話機２に対して行い、料金を支払うことに利用者が同意した場合は、発呼先の電話番号の入力を促し（例えば、音声ガイダンス）、利用者が発呼先の電話番号を携帯電話機２から入力すると、課金を行うとともに発呼先の電話番号情報に基づいて通信相手方に接続するように構成することもできる。この通話制御は、加入者交換機５に限らず、携帯電話機２、無線基地局装置３、無線ネットワーク制御装置４、中継用交換機６及びオペレーションセンタ７が行ってもよい。これにより、通信相手方の電話番号に発呼するだけで又は特定の電話番号に発呼するだけで課金が行われるので、課金手続が容易となる。
【０２４７】
〔第２の実施の形態〕
次に、本発明の第２の実施の形態を説明する。図９及び図１０は、本実施の形態を示す図である。なお、以下、上記第１の実施の形態と異なる部分についてのみ説明し、重複する部分については同一の符号を付して説明を省略する。
【０２４８】
本実施の形態において、通話許可時間は、都度通話許可時間及び累積通話許可時間の一方又は両方が含まれる。同様に、通話時間は、都度通話時間及び累積通話時間の一方又は両方が含まれる。
【０２４９】
まず、ステップＳ２０２の正常時発信制御処理を説明する。
図９は、正常時発信制御処理を示すフローチャートである。
【０２５０】
正常時発信制御処理は、加入者交換機５で実行されると、図９に示すように、ステップＳ３００〜Ｓ３０４を経て、ステップＳ３１２に移行する。
【０２５１】
ステップＳ３１２では、オペレーションセンタ７から輻輳検出信号を受信することにより輻輳状態を検出したか否かを判定し、輻輳状態を検出しないと判定した場合(NO)は、ステップＳ３０６に移行する。
【０２５２】
一方、ステップＳ３１２で、輻輳状態を検出したと判定した場合(YES)は、ステップＳ４１０に移行する。
【０２５３】
次に、ステップＳ２０４の輻輳時発信制御処理を説明する。
図１０は、輻輳時発信制御処理を示すフローチャートである。
【０２５４】
輻輳時発信制御処理は、加入者交換機５で実行されると、図１０に示すように、まず、ステップＳ４０６に移行する。
【０２５５】
ステップＳ４０６では、空き回線があるか否かを判定し、空き回線があると判定した場合(YES)は、ステップＳ４０８に移行して、発呼要求に含まれる電話番号情報に基づいて通信相手先との回線を設定し、ステップＳ４１０に移行して、ステップＳ３０４と同様の発信処理を実行し、ステップＳ４１２に移行する。
【０２５６】
ステップＳ４１２では、通話時間を加算し、ステップＳ４１４に移行して、加算した通話時間が所定の通話許可時間（例えば、６０[ｓ]）を超えたか否かを判定し、所定の通話許可時間を超えていないと判定した場合(NO)は、ステップＳ４１６に移行する。
【０２５７】
ステップＳ４１６では、通信相手先との通話が終了したか否かを判定し、通信相手先との通話が終了したと判定した場合(YES)は、ステップＳ４１８に移行して、通信相手先との回線を切断し、一連の処理を終了して元の処理に復帰させる。
【０２５８】
一方、ステップＳ４１６で、通信相手先との通話が終了していないと判定した場合(NO)は、ステップＳ４１０に移行する。
【０２５９】
一方、ステップＳ４１４で、通話時間が所定の通話許可時間を超えたと判定した場合(YES)は、ステップＳ４１８に移行する。
【０２６０】
一方、ステップＳ４０６で、空き回線がないと判定した場合(NO)は、ステップＳ４２０に移行して、ステップＳ３１０と同様の呼損処理を実行し、一連の処理を終了して元の処理に復帰させる。
【０２６１】
なお、本実施の形態においては、通信制御情報２０、通話待ちキュー３０及び輻輳時発呼要求処理を設けない。
【０２６２】
次に、本実施の形態の動作を説明する。
通信網の正常時は、加入者交換機５により、ステップＳ３０４を経て、携帯電話機２からの発呼要求に応じて、携帯電話機２の通話が所定の通話許可時間にかかわらず行われる。
【０２６３】
オペレーションセンタ７により輻輳状態が検出されると、輻輳検出信号が加入者交換機５に送信される。加入者交換機５では、輻輳検出信号を受信すると、輻輳状態が検出されたと判定されるので、携帯電話機２の利用者は、輻輳時に所定の通話許可時間内で通話することができる。
【０２６４】
例えば、携帯電話機２の利用者は、携帯電話機２で発呼をし、６０[ｓ]が経過すると、強制的に回線が切断される。これは、通話時間が所定の通話許可時間を超えたためである。
【０２６５】
このようにして、本実施の形態では、正常時は、携帯電話機２からの発呼要求に応じて、携帯電話機２の通話を所定の通話許可時間にかかわらず行い、輻輳時は、携帯電話機２が通話した通話時間を加算し、携帯電話機２について加算した通話時間が所定の通話許可時間を超えた場合は、その携帯電話機２の通話を禁止する。
【０２６６】
これにより、携帯電話機２の利用者は、輻輳時に通話許可時間を有効に使おうとする。なぜならば、通話時間をできるだけ短くしないと、多くの相手と通話できなくなるからである。したがって、輻輳時に効率よく通話が行われ、多くの人が通話できるようになることが期待できる。
【０２６７】
本実施の形態において、携帯電話機２は、発明７の通信端末に対応し、ステップＳ３０４は、発明７の通信実施手段に対応し、ステップＳ４１２は、発明７の通信時間算出手段に対応し、ステップＳ４１４は、発明７の通信禁止手段に対応している。
【０２６８】
〔第２の実施の形態の変形例〕
なお、上記第２の実施の形態においては、携帯電話機２について加算した通話時間が所定の通話許可時間を超えた場合は、その携帯電話機２の通話を禁止するように構成したが、これに限らず、次の構成を採用することもできる。
【０２６９】
第９の構成は、正常時は、携帯電話機２の通話を所定の通話許可時間にかかわらず行い、輻輳時は、所定の通話許可時間に基づいて携帯電話機２が通話可能な残り通話時間を算出し、携帯電話機２について算出した残り通話時間を消化した場合は、その携帯電話機２の通話を禁止する。
【０２７０】
これにより、携帯電話機２の利用者は、輻輳時に通話許可時間を有効に使おうとする。なぜならば、通話時間をできるだけ短くしないと、多くの相手と通話できなくなるからである。したがって、輻輳時に効率よく通話が行われ、多くの人が通話できるようになることが期待できる。
【０２７１】
第１０の構成は、正常時は、携帯電話機２の通話を所定の通話許可データ量にかかわらず行い、輻輳時は、携帯電話機２が通話した通話データ量を算出し、携帯電話機２について算出した通話データ量が所定の通話許可データ量を超えた場合は、その携帯電話機２の通話を禁止する。
【０２７２】
これにより、携帯電話機２の利用者は、輻輳時に通話許可データ量を有効に使おうとする。なぜならば、通話データ量をできるだけ少なくしないと、多くの相手と通話できなくなるからである。したがって、輻輳時に効率よく通話が行われ、多くの人が通話できるようになることが期待できる。
【０２７３】
第１１の構成は、正常時は、携帯電話機２の通話を所定の通話許可データ量にかかわらず行い、輻輳時は、所定の通話許可データ量に基づいて携帯電話機２が通話可能な残り通話データ量を算出し、携帯電話機２について算出した残り通話データ量を消化した場合は、その携帯電話機２の通話を禁止する。
【０２７４】
これにより、携帯電話機２の利用者は、輻輳時に通話許可データ量を有効に使おうとする。なぜならば、通話データ量をできるだけ少なくしないと、多くの相手と通話できなくなるからである。したがって、輻輳時に効率よく通話が行われ、多くの人が通話できるようになることが期待できる。
【０２７５】
第１２の構成は、正常時は、携帯電話機２の通話を所定の通話許可回数にかかわらず行い、輻輳時は、携帯電話機２が通話した通話回数を算出し、携帯電話機２について算出した通話回数が所定の通話許可回数を超えた場合は、その携帯電話機２の通話を禁止する。
【０２７６】
これにより、携帯電話機２の利用者は、輻輳時に通話許可回数を有効に使おうとする。なぜならば、通話回数をできるだけ少なくしないと、多くの相手と通話できなくなるからである。したがって、輻輳時に効率よく通話が行われ、多くの人が通話できるようになることが期待できる。
【０２７７】
第１３の構成は、正常時は、携帯電話機２の通話を所定の通話許可回数にかかわらず行い、輻輳時は、所定の通話許可回数に基づいて携帯電話機２が通話可能な残り通話回数を算出し、携帯電話機２について算出した残り通話回数を消化した場合は、その携帯電話機２の通話を禁止する。
【０２７８】
これにより、携帯電話機２の利用者は、輻輳時に通話許可回数を有効に使おうとする。なぜならば、通話回数をできるだけ少なくしないと、多くの相手と通話できなくなるからである。したがって、輻輳時に効率よく通話が行われ、多くの人が通話できるようになることが期待できる。
【０２７９】
第１４の構成は、正常時は、携帯電話機２の通話を所定の通話許可料金にかかわらず行い、輻輳時は、携帯電話機２が通話に要した通話料金を算出し、携帯電話機２について算出した通話料金が所定の通話許可料金を超えた場合は、その携帯電話機２の通話を禁止する。
【０２８０】
これにより、携帯電話機２の利用者は、輻輳時に通話許可料金を有効に使おうとする。なぜならば、通話料金をできるだけ少なくしないと、多くの相手と通話できなくなるからである。したがって、輻輳時に効率よく通話が行われ、多くの人が通話できるようになることが期待できる。
【０２８１】
第１５の構成は、正常時は、携帯電話機２の通話を所定の通話許可料金にかかわらず行い、輻輳時は、所定の通話許可料金に基づいて携帯電話機２が通話可能な残り通話料金を算出し、携帯電話機２について算出した残り通話料金を消化した場合は、その携帯電話機２の通話を禁止する。
【０２８２】
これにより、携帯電話機２の利用者は、輻輳時に通話許可料金を有効に使おうとする。なぜならば、通話料金をできるだけ少なくしないと、多くの相手と通話できなくなるからである。したがって、輻輳時に効率よく通話が行われ、多くの人が通話できるようになることが期待できる。
【０２８３】
また、上記第２の実施の形態及びその変形例においては、都度通話時間を算出し、算出した通話時間が所定の通話許可時間を超えた場合は、携帯電話機２の通話を禁止するように構成したが、これに限らず、携帯電話機２の累積通話時間を算出し、算出した累積通話時間が所定の通話許可時間を超えた場合は、携帯電話機２の通話を禁止するように構成することもできる。携帯電話機２の利用者は、累積通話時間が所定の通話許可時間を超えるまでは、何回でも発呼し通話することができるように構成することもできる。この場合、累積通話時間が所定の通話許可時間を超えると、通話することができなくなる。
【０２８４】
例えば、携帯電話機２の利用者は、携帯電話機２で１回目の発呼をし、３０[ｓ]通話した。累積通話時間は３０[ｓ]となる。その後、携帯電話機２で２回目の発呼をし、３０[ｓ]が経過すると、累積通話時間が６０[ｓ]となり、強制的に回線が切断される。これは、累積通話時間が所定の通話許可時間を超えたためである。携帯電話機２の利用者は、輻輳状態が解消するまで通話することはできない。
【０２８５】
累積の構成は、所定の通話許可データ量で規制する構成（上記第１０又は第１１の構成）、所定の通話許可回数で規制する構成（上記第１２又は第１３の構成）及び所定の通話許可料金で規制する構成（上記第１４又は第１５の構成）についても同様に適用することができる。
【０２８６】
また、上記第２の実施の形態及びその変形例において、輻輳時は、すべての携帯電話機２の通話を所定の通話許可時間で規制するように構成したが、これに限らず、次の構成を採用することもできる。
【０２８７】
第１６の構成は、輻輳時に通話を行うために必要な料金を支払った又は支払う携帯電話機２の通話を所定の通話許可時間で規制し、他の携帯電話機２の通話をこれよりも短い時間で規制するか又は一切禁止する。この場合、他の携帯電話機２であっても、携帯電話機２に関連する通信端末について輻輳時に通話を行うために必要な料金を支払った又は支払う場合は、その携帯電話２の通話を所定の通話許可時間で規制してもよい。携帯電話機２に関連する通信端末は、上記同様である。
【０２８８】
これにより、携帯電話機２の利用者は、料金を支払うことで輻輳時に有利な通話を確保することができる。
【０２８９】
第１７の構成は、輻輳時に通話を行うために必要な料金を支払った又は支払う携帯電話機２の通話を規制せず、他の携帯電話機２の通話を所定の通話許可時間で規制する。この場合、他の携帯電話機２であっても、携帯電話機２に関連する通信端末について輻輳時に通話を行うために必要な料金を支払った又は支払う場合は、その携帯電話２の通話を規制しなくてもよい。携帯電話機２に関連する通信端末は、上記同様である。
【０２９０】
これにより、携帯電話機２の利用者は、料金を支払うことで輻輳時に有利な通話を確保することができる。
【０２９１】
第１８の構成は、第１６又は第１７の構成において、輻輳時に通話を行うために必要な料金を輻輳時に先立って課金する。
【０２９２】
これにより、携帯電話機２の利用者は、事前に料金を支払うことで輻輳時に有利な通話を確保することができる。
【０２９３】
第１９の構成は、第１６又は第１７の構成において、輻輳時に通話を行うために必要な料金を輻輳時に課金する。
【０２９４】
これにより、携帯電話機２の利用者は、輻輳時に料金を支払うことで輻輳時に有利な通話を確保することができる。
【０２９５】
第２０の構成は、第１８及び第１９の構成において、輻輳時に課金する料金は、事前に課金する料金よりも高く設定した。
【０２９６】
これにより、携帯電話機２の利用者は、できるだけ事前に料金を支払うようになる。事前に料金が支払われれば、電気通信事業者は、その資金を設備投資等に運用することができる。
【０２９７】
第２１の構成は、第１９又は第２０の構成において、特定の電話番号（例えば、０９９０−ＸＸ−ＸＸＸＸ）に発呼することにより輻輳時の課金を行うように構成することもできる。
【０２９８】
これにより、特定の電話番号に発呼するだけで課金が行われるので、課金手続が容易となる。
【０２９９】
第２２の構成は、第１９又は第２０の構成において、輻輳時その他の異常時（又は正常時）に、利用者が携帯電話機２により発呼を行うと、加入者交換機５は、空き回線があるか否かを判定し、空き回線があると判定した場合は、料金を支払うか否かのアナウンスを携帯電話機２に対して行い（例えば、音声ガイダンス）、料金を支払うことに利用者が同意した場合（例えば、プッシュボタンの「１」を押下した場合）は、課金を行うとともに発呼先の電話番号情報に基づいて通信相手方に接続するように構成することもできる。又は、輻輳時その他の異常時（又は正常時）に、利用者が携帯電話機２により特定の電話番号に発呼すると、加入者交換機５は、空き回線があるか否かを判定し、空き回線があると判定した場合は、料金を支払うか否かのアナウンスを携帯電話機２に対して行い、料金を支払うことに利用者が同意した場合は、発呼先の電話番号の入力を促し（例えば、音声ガイダンス）、利用者が発呼先の電話番号を携帯電話機２から入力すると、課金を行うとともに発呼先の電話番号情報に基づいて通信相手方に接続するように構成することもできる。この通話制御は、加入者交換機５に限らず、携帯電話機２、無線基地局装置３、無線ネットワーク制御装置４、中継用交換機６及びオペレーションセンタ７が行ってもよい。
【０３００】
これにより、通信相手方の電話番号に発呼するだけで又は特定の電話番号に発呼するだけで課金が行われるので、課金手続が容易となる。
【０３０１】
また、上記第２の実施の形態及びその変形例においては、輻輳状態を検出した場合に携帯電話機２の通話を規制するように構成したが、これに限らず、通信網の障害（機器や回線の故障を含む。）、人為的規制その他の異常が発生した場合に携帯電話機２の通話を規制するように構成することもできる。人為的規制としては、例えば、オペレータ等が異常の発生を予測し、異常の旨を入力することが含まれる。
【０３０２】
また、上記第２の実施の形態及びその変形例においては、輻輳時その他の異常時に携帯電話機２の通話を規制するように構成したが、これに限らず、非輻輳時その他の正常時に携帯電話機２の通話を規制するように構成することもできる。
【０３０３】
また、上記第２の実施の形態及びその変形例においては、単に輻輳状態を検出した場合に携帯電話機２の通話を規制するように構成したが、これに限らず、局所的な領域（例えば、東京ドーム球場）で輻輳状態を検出した場合に携帯電話機２の通話を規制するように構成することもできる。例えば、その局所的な領域の無線ゾーンに属する携帯電話機２からの発呼及びその携帯電話機２への着呼を規制することができる。
【０３０４】
また、上記第２の実施の形態及びその変形例においては、輻輳時に携帯電話機２に通話時間を通知しなかったが、これに限らず、所定の通話許可時間に基づいて、輻輳時に携帯電話機２が通話可能な残り通話時間を算出し、携帯電話機２について算出した残り通信時間をその携帯電話機２の利用者に通知するように構成することもできる。この通知は、例えば、携帯電話機２の通知手段により行うことができるし、携帯電話機２に近接する位置に存在する通知手段により行うこともできる。この通知は、例えば、音声、表示、チャイム、バイブレーション等の通知手段を携帯電話機２に設け、携帯電話機２の通知手段により行うことができる。
【０３０５】
この構成は、所定の通話許可データ量で規制する構成（上記第１０又は第１１の構成）、所定の通話許可回数で規制する構成（上記第１２又は第１３の構成）及び所定の通話許可料金で規制する構成（上記第１４又は第１５の構成）についても同様に適用することができる。
【０３０６】
〔第３の実施の形態〕
次に、本発明の第３の実施の形態を説明する。図１１乃至図１４は、本実施の形態を示す図である。なお、以下、上記第１の実施の形態と異なる部分についてのみ説明し、重複する部分については同一の符号を付して説明を省略する。
【０３０７】
まず、通信制御情報２０のデータ構造を説明する。
図１１は、通信制御情報２０のデータ構造を示す図である。
【０３０８】
通信制御情報２０は、図１１に示すように、携帯電話機２ごとに１つのレコードが登録されている。各レコードは、携帯電話機２の電話番号を登録したフィールドと、携帯電話機２の利用者が契約している料金プランを登録したフィールドと、輻輳時の一般通話料金（例えば、２００[円／分]）よりも安い優遇通話料金を登録したフィールドとを含む。なお、輻輳時の一般通話料金は、正常時の通話料金（例えば、６０[円／分]）よりも高く設定されている。
【０３０９】
優遇通話料金は、オペレーションセンタ７の設定処理（通信料金優遇度設定手段）により料金プランに応じて設定される。例えば、１番高額の料金プランＡ（例えば、月額４０００円）では、優遇通話料金が１０[円／分]に設定される。これは、輻輳時に１０[円／分]で通話できることを示している。２番目に高額の料金プランＢ（例えば、月額３０００円）では、優遇通話料金が４０[円／分]に設定される。これは、輻輳時に４０[円／分]で通話できることを示している。１番低額の料金プランＣ（例えば、月額２０００円）では、優遇通話料金が設定されない。これは、輻輳時に一般通話料金でなければ通話できないことを示している。
【０３１０】
次に、ステップＳ２０２の正常時発信制御処理を説明する。
図１２は、正常時発信制御処理を示すフローチャートである。
【０３１１】
正常時発信制御処理は、加入者交換機５で実行されると、図１２に示すように、ステップＳ３００〜Ｓ３０４を経て、ステップＳ３１２に移行する。
【０３１２】
ステップＳ３１２では、オペレーションセンタ７から輻輳検出信号を受信することにより輻輳状態を検出したか否かを判定し、輻輳状態を検出しないと判定した場合(NO)は、ステップＳ３０６に移行する。
【０３１３】
一方、ステップＳ３１２で、輻輳状態を検出したと判定した場合(YES)は、ステップＳ３１４に移行して、輻輳時の通話料金を設定する輻輳時通話料金設定処理を実行し、ステップＳ３０６に移行する。
【０３１４】
次に、ステップＳ２０４の輻輳時発信制御処理を説明する。
図１３は、輻輳時発信制御処理を示すフローチャートである。
【０３１５】
輻輳時発信制御処理は、加入者交換機５で実行されると、図１３に示すように、まず、ステップＳ３１４を経て、ステップＳ４０６に移行する。
【０３１６】
ステップＳ４０６では、空き回線があるか否かを判定し、空き回線があると判定した場合(YES)は、ステップＳ４０８に移行して、発呼要求に含まれる電話番号情報に基づいて通信相手先との回線を設定し、ステップＳ４１０に移行して、ステップＳ３０４と同様の発信処理を実行し、ステップＳ４１６に移行する。
【０３１７】
ステップＳ４１６では、通信相手先との通話が終了したか否かを判定し、通信相手先との通話が終了したと判定した場合(YES)は、ステップＳ４１８に移行して、通信相手先との回線を切断し、一連の処理を終了して元の処理に復帰させる。
【０３１８】
一方、ステップＳ４１６で、通信相手先との通話が終了していないと判定した場合(NO)は、ステップＳ４１０に移行する。
【０３１９】
一方、ステップＳ４０６で、空き回線がないと判定した場合(NO)は、ステップＳ４２０に移行して、ステップＳ３１０と同様の呼損処理を実行し、一連の処理を終了して元の処理に復帰させる。
【０３２０】
次に、ステップＳ３１４の輻輳時通話料金設定処理を説明する。
図１４は、輻輳時通話料金設定処理を示すフローチャートである。
【０３２１】
輻輳時通話料金設定処理は、加入者交換機５で実行されると、図１４に示すように、まず、ステップＳ６００に移行する。
【０３２２】
ステップＳ６００では、対象通信制御情報に優遇通話料金が設定されているか否かを判定し、優遇通話料金が設定されていると判定した場合(YES)は、ステップＳ６０２に移行する。
【０３２３】
ステップＳ６０２では、携帯電話機２の通話料金を優遇通話料金に設定し、一連の処理を終了して元の処理に復帰させる。
【０３２４】
一方、ステップＳ６００で、対象通信制御情報に優遇通話料金が設定されていないと判定した場合(NO)は、ステップＳ６０４に移行して、携帯電話機２の通話料金を輻輳時の一般通話料金に設定し、一連の処理を終了して元の処理に復帰させる。
【０３２５】
なお、本実施の形態においては、通話待ちキュー３０及び輻輳時発呼要求処理を設けない。
【０３２６】
次に、本実施の形態の動作を説明する。
携帯電話機２の利用者は、輻輳時に先立って料金を支払う手続を行うことができる。具体的には、料金プランＡ〜Ｃのいずれかを選択する。この場合、オペレーションセンタ７の事前課金処理により、輻輳時に通話を行うために必要な料金が輻輳時に先立って課金される。そして、オペレーションセンタ７の設定処理により、携帯電話機２ごとに、課金された料金に基づいて優遇通話料金が設定される。
【０３２７】
通信網の正常時は、加入者交換機５により、ステップＳ３０４を経て、携帯電話機２からの発呼要求に応じて、携帯電話機２の通話が、その携帯電話機２について設定された優遇通話料金にかかわらず行われる。
【０３２８】
オペレーションセンタ７により輻輳状態が検出されると、輻輳検出信号が加入者交換機５に送信される。加入者交換機５では、輻輳検出信号を受信すると、輻輳状態が検出されたと判定されるので、携帯電話機２の利用者は、輻輳時に、その携帯電話機２について設定された優遇通話料金で通話することができる。
【０３２９】
例えば、料金プランＡを事前に選択していると、優遇通話料金が１０[円／分]に設定されるので、携帯電話機２の利用者は、輻輳時に１０[円／分]で通話することができる。また、料金プランＢを事前に選択していると、優遇通話料金が４０[円／分]に設定されるので、携帯電話機２の利用者は、輻輳時に４０[円／分]で通話することができる。
【０３３０】
これに対し、料金プランＣを事前に選択していると、優遇通話料金が設定されないので、携帯電話機２の利用者は、輻輳時に一般通話料金でなければ通話することができない。ただし、携帯電話機２の利用者は、輻輳時に料金を支払う手続を行うこともできる。この場合、オペレーションセンタ７の事後課金処理により、輻輳時に通話を行うために必要な料金が輻輳時に課金される。ある料金プランについて輻輳時に課金する料金は、その料金プランについて事前に課金する料金よりも高く設定されている。そして、オペレーションセンタ７の設定処理により、その携帯電話機２に対して、課金された料金に基づいて優遇通話料金が設定される。これにより、携帯電話機２の利用者は、有利な通話を確保することができるようになる。
【０３３１】
このようにして、本実施の形態では、輻輳時における携帯電話機２の通話を、正常時の通話料金よりも高い輻輳時の一般通話料金で行う。
【０３３２】
これにより、輻輳時は、正常時よりも通話料金が高くなるので、携帯電話機２の利用者は、通話料金ができるだけ安くなるように通話しようとする。したがって、輻輳時に効率よく通話が行われ、多くの人が通話できるようになることが期待できる。
【０３３３】
さらに、本実施の形態では、携帯電話機２ごとに、その携帯電話機２について支払った又は支払うべき料金に基づいて優遇通話料金を設定し、正常時は、携帯電話機２からの発呼要求に応じて、携帯電話機２の通話を、その携帯電話機２について設定された優遇通話料金にかかわらず行い、輻輳時は、携帯電話機２の通話料金を、その携帯電話機２について設定された優遇通話料金に設定する。
【０３３４】
これにより、支払った又は支払うべき料金に基づいて優遇通話料金が設定されるので、携帯電話機２の利用者は、料金を支払うことで輻輳時に有利な通話を確保することができる。
【０３３５】
さらに、本実施の形態では、輻輳時に携帯電話機２が通話を行うために必要な料金を輻輳時に先立って課金し、課金した料金に基づいて優遇通話料金を設定する。
【０３３６】
これにより、携帯電話機２の利用者は、事前に料金を支払うことで輻輳時に有利な通話を確保することができる。
【０３３７】
さらに、本実施の形態では、輻輳時に携帯電話機２が通話を行うために必要な料金を輻輳時に課金し、課金した料金に基づいて優遇通話料金を設定する。
【０３３８】
これにより、携帯電話機２の利用者は、輻輳時に料金を支払うことで輻輳時に有利な通話を確保することができる。
【０３３９】
さらに、本実施の形態では、ある料金プランについて輻輳時に課金する料金は、その料金プランについて事前に課金する料金よりも高く設定した。
【０３４０】
これにより、携帯電話機２の利用者は、できるだけ事前に料金を支払うようになる。事前に料金が支払われれば、電気通信事業者は、その資金を設備投資等に運用することができる。
【０３４１】
本実施の形態において、携帯電話機２は、発明１３又は１４の通信端末に対応し、ステップＳ３０４は、発明１４の通信実施手段に対応し、ステップＳ６０２は、発明１４の通信料金設定手段に対応し、ステップＳ６０４は、発明１３の異常時通信手段に対応している。また、オペレーションセンタ７の設定処理は、発明１４乃至１７の通信料金優遇度設定手段に対応し、オペレーションセンタ７の事前課金処理は、発明１５又は１７の事前課金手段に対応し、オペレーションセンタ７の事後課金処理は、発明１６又は１７の事後課金手段に対応している。
【０３４２】
また、本実施の形態において、輻輳時の一般通話料金は、発明１３又は１４の第１通信料金に対応し、優遇通話料金は、発明１４乃至１７の通信料金優遇度、又は発明１４の第２通信料金に対応している。
【０３４３】
〔第３の実施の形態の変形例〕
なお、上記第３の実施の形態においては、輻輳時は、携帯電話機２の通話料金を、その携帯電話機２について設定された優遇通話料金に設定するように構成したが、これに限らず、次の構成を採用することもできる。
【０３４４】
第２３の構成は、輻輳時における携帯電話機２の通話を、正常時よりも短い第１通話制限時間（例えば、都度通話制限時間又は累積通話制限時間。以下、同じ。）で行う。
【０３４５】
これにより、輻輳時は、正常時よりも通話制限時間が短くなるので、携帯電話機２の利用者は、通話を途中で切られないようにするため通話時間ができるだけ短くなるように通話しようとする。したがって、輻輳時に効率よく通話が行われ、多くの人が通話できるようになることが期待できる。
【０３４６】
第２４の構成は、第２３の構成において、携帯電話機２ごとに、その携帯電話機２又はこれに関連する通話端末について支払った又は支払うべき料金に基づいて通話時間優遇度を設定し、正常時は、携帯電話機２の通話を、その携帯電話機２又はこれに関連する通話端末について設定された通話時間優遇度にかかわらず行い、輻輳時は、携帯電話機２の通話制限時間を、その携帯電話機２又はこれに関連する通話端末について設定された通話時間優遇度に基づいて、第１通話制限時間よりも長い第２通話制限時間に設定する。
【０３４７】
これにより、支払った又は支払うべき料金に基づいて通話時間優遇度が設定されるので、携帯電話機２の利用者は、料金を支払うことで輻輳時に有利な通話を確保することができる。
【０３４８】
第２５の構成は、輻輳時における携帯電話機２の通話を、正常時よりも少ない第１通話制限データ量（例えば、都度通話制限データ量又は累積通話制限データ量。以下、同じ。）で行う。
【０３４９】
これにより、輻輳時は、正常時よりも通話制限データ量が少なくなるので、携帯電話機２の利用者は、通話データ量ができるだけ少なくなるように通話しようとする。したがって、輻輳時に効率よく通話が行われ、多くの人が通話できるようになることが期待できる。
【０３５０】
第２６の構成は、第２５の構成において、携帯電話機２ごとに、その携帯電話機２又はこれに関連する通話端末について支払った又は支払うべき料金に基づいて通話データ量優遇度を設定し、正常時は、携帯電話機２の通話を、その携帯電話機２又はこれに関連する通話端末について設定された通話データ量優遇度にかかわらず行い、輻輳時は、携帯電話機２の通話制限データ量を、その携帯電話機２又はこれに関連する通話端末について設定された通話データ量優遇度に基づいて、第１通話制限データ量よりも多い第２通話制限データ量に設定する。
【０３５１】
これにより、支払った又は支払うべき料金に基づいて通話データ量優遇度が設定されるので、携帯電話機２の利用者は、料金を支払うことで輻輳時に有利な通話を確保することができる。
【０３５２】
第２７の構成は、輻輳時における携帯電話機２の通話を、正常時よりも少ない第１通話制限回数で行う。
【０３５３】
これにより、輻輳時は、正常時よりも通話制限回数が少なくなるので、携帯電話機２の利用者は、通話回数ができるだけ少なくなるように通話しようとする。したがって、輻輳時に効率よく通話が行われ、多くの人が通話できるようになることが期待できる。
【０３５４】
第２８の構成は、第２７の構成において、携帯電話機２ごとに、その携帯電話機２又はこれに関連する通話端末について支払った又は支払うべき料金に基づいて通話回数優遇度を設定し、正常時は、携帯電話機２の通話を、その携帯電話機２又はこれに関連する通話端末について設定された通話回数優遇度にかかわらず行い、輻輳時は、携帯電話機２の通話制限回数を、その携帯電話機２又はこれに関連する通話端末について設定された通話回数優遇度に基づいて、第１通話制限回数よりも多い第２通話制限回数に設定する。
【０３５５】
これにより、支払った又は支払うべき料金に基づいて通話回数優遇度が設定されるので、携帯電話機２の利用者は、料金を支払うことで輻輳時に有利な通話を確保することができる。
【０３５６】
第２９の構成は、輻輳時における携帯電話機２の通話を、正常時よりも少ない第１通話制限料金（例えば、都度通話制限料金又は累積通話制限料金。以下、同じ。）で行う。
【０３５７】
これにより、輻輳時は、正常時よりも通話制限料金が少なくなるので、携帯電話機２の利用者は、通話料金ができるだけ安くなるように通話しようとする。したがって、輻輳時に効率よく通話が行われ、多くの人が通話できるようになることが期待できる。
【０３５８】
第３０の構成は、第２９の構成において、携帯電話機２ごとに、その携帯電話機２又はこれに関連する通話端末について支払った又は支払うべき料金に基づいて通話料金優遇度を設定し、正常時は、携帯電話機２の通話を、その携帯電話機２又はこれに関連する通話端末について設定された通話料金優遇度にかかわらず行い、輻輳時は、携帯電話機２の通話制限料金を、その携帯電話機２又はこれに関連する通話端末について設定された通話料金優遇度に基づいて、第１通話制限料金よりも多い第２通話制限料金に設定する。
【０３５９】
これにより、支払った又は支払うべき料金に基づいて通話料金優遇度が設定されるので、携帯電話機２の利用者は、料金を支払うことで輻輳時に有利な通話を確保することができる。
【０３６０】
また、上記第３の実施の形態及びその変形例においては、輻輳時における携帯電話機２の通話を、正常時の通話料金よりも高い輻輳時の一般通話料金で行うように構成したが、これに限らず、次の構成を採用することもできる。
【０３６１】
第３１の構成は、輻輳時に１又は複数の携帯電話機２から要求された通話の要求度を検出し、検出した要求度に基づいて輻輳時の一般通話料金を増加又は減少させる。
【０３６２】
これにより、携帯電話機２の利用者は、１又は複数の携帯電話機２から要求された通話の要求度に応じて通話料金ができるだけ安くなるように通話しようとする。したがって、輻輳時により効率よく通話が行われることが期待できる。
【０３６３】
第３２の構成は、輻輳時に１又は複数の携帯電話機２が通話した通話時間を算出し、算出した通話時間に基づいて輻輳時の一般通話料金を増加又は減少させる。
【０３６４】
これにより、携帯電話機２の利用者は、１又は複数の携帯電話機２が通話した通話時間に応じて通話料金ができるだけ安くなるように通話しようとする。したがって、輻輳時により効率よく通話が行われることが期待できる。
【０３６５】
第３３の構成は、輻輳時に１又は複数の携帯電話機２が通話した通話データ量を算出し、算出した通話データ量に基づいて輻輳時の一般通話料金を増加又は減少させる。
【０３６６】
これにより、携帯電話機２の利用者は、１又は複数の携帯電話機２が通話した通話データ量に応じて通話料金ができるだけ安くなるように通話しようとする。したがって、輻輳時により効率よく通話が行われることが期待できる。
【０３６７】
第３４の構成は、輻輳時に１又は複数の携帯電話機２が通話した通話回数を算出し、算出した通話回数に基づいて輻輳時の一般通話料金を増加又は減少させる。
【０３６８】
これにより、携帯電話機２の利用者は、１又は複数の携帯電話機２が通話した通話回数に応じて通話料金ができるだけ安くなるように通話しようとする。したがって、輻輳時により効率よく通話が行われることが期待できる。
【０３６９】
第３５の構成は、輻輳時に１又は複数の携帯電話機２が通話に要した通話料金を算出し、算出した通話料金に基づいて輻輳時の一般通話料金を増加又は減少させる。
【０３７０】
これにより、携帯電話機２の利用者は、１又は複数の携帯電話機２が通話に要した通話料金に応じて通話料金ができるだけ安くなるように通話しようとする。したがって、輻輳時により効率よく通話が行われることが期待できる。
【０３７１】
第３６の構成は、オペレータその他の人の操作により輻輳時の一般通話料金を増加又は減少させる。
【０３７２】
これにより、携帯電話機２の利用者は、オペレータその他の人の操作状況に応じて通話料金ができるだけ安くなるように通話しようとする。したがって、輻輳時により効率よく通話が行われることが期待できる。
【０３７３】
上記第３１乃至第３６の構成は、通話制限時間で規制する構成（上記第２３又は第２４の構成）、通話制限データ量で規制する構成（上記第２５又は第２６の構成）、通話制限回数で規制する構成（上記第２７又は第２８の構成）及び通話制限料金で規制する構成（上記第２９又は第３０の構成）についても同様に適用することができる。
【０３７４】
また、上記第３の実施の形態及びその変形例において、料金等による制限は、通話だけを対象としたが、これに限らず、データ通信だけ、通話及びデータ通信を対象とすることができる。
【０３７５】
また、上記第３の実施の形態及びその変形例においては、携帯電話機２ごとに、その携帯電話機２について支払った又は支払うべき料金に基づいて優遇通話料金を設定するように構成したが、これに限らず、携帯電話機２ごとに、その携帯電話機２に関連する通信端末について支払った又は支払うべき料金に基づいて優遇通話料金を設定するように構成することもできる。携帯電話機２に関連する通信端末は、上記同様である。
【０３７６】
また、上記第３の実施の形態及びその変形例において、正常時は、携帯電話機２の通話を、その携帯電話機２について設定された優遇通話料金にかかわらず行うように構成したが、これに限らず、携帯電話機２の通話を、その携帯電話機２に関連する通信端末について設定された優遇通話料金にかかわらず行うように構成することもできる。携帯電話機２に関連する通信端末は、上記同様である。
【０３７７】
また、上記第３の実施の形態及びその変形例において、輻輳時は、携帯電話機２の通話料金を、その携帯電話機２について設定された優遇通話料金に設定するように構成したが、これに限らず、携帯電話機２の通話料金を、その携帯電話機２に関連する通信端末について設定された優遇通話料金に設定するように構成することもできる。携帯電話機２に関連する通信端末は、上記同様である。これにより、例えば、通話相手先の負担で有利な通話を行うことができる。
【０３７８】
また、上記第３の実施の形態及びその変形例においては、輻輳状態を検出した場合に携帯電話機２の通話料金を優遇通話料金に設定するように構成したが、これに限らず、通信網の障害（機器や回線の故障を含む。）、人為的規制その他の異常が発生した場合に携帯電話機２の通話料金を優遇通話料金に設定するように構成することもできる。人為的規制としては、例えば、オペレータ等が異常の発生を予測し、異常の旨を入力することが含まれる。
【０３７９】
この構成は、通話制限時間で規制する構成（上記第２３又は第２４の構成）、通話制限データ量で規制する構成（上記第２５又は第２６の構成）、通話制限回数で規制する構成（上記第２７又は第２８の構成）及び通話制限料金で規制する構成（上記第２９又は第３０の構成）についても同様に適用することができる。
【０３８０】
また、上記第３の実施の形態及びその変形例においては、輻輳時その他の異常時に携帯電話機２の通話料金を優遇通話料金に設定するように構成したが、これに限らず、非輻輳時その他の正常時に携帯電話機２の通話料金を優遇通話料金に設定するように構成することもできる。
【０３８１】
この構成は、通話制限時間で規制する構成（上記第２３又は第２４の構成）、通話制限データ量で規制する構成（上記第２５又は第２６の構成）、通話制限回数で規制する構成（上記第２７又は第２８の構成）及び通話制限料金で規制する構成（上記第２９又は第３０の構成）についても同様に適用することができる。
【０３８２】
また、上記第３の実施の形態及びその変形例においては、単に輻輳状態を検出した場合に携帯電話機２の通話料金を優遇通話料金に設定するように構成したが、これに限らず、局所的な領域（例えば、東京ドーム球場）で輻輳状態を検出した場合に携帯電話機２の通話料金を優遇通話料金に設定するように構成することもできる。例えば、その局所的な領域の無線ゾーンに属する携帯電話機２からの発呼及びその携帯電話機２への着呼について通話料金を優遇通話料金に設定することができる。
【０３８３】
この構成は、通話制限時間で規制する構成（上記第２３又は第２４の構成）、通話制限データ量で規制する構成（上記第２５又は第２６の構成）、通話制限回数で規制する構成（上記第２７又は第２８の構成）及び通話制限料金で規制する構成（上記第２９又は第３０の構成）についても同様に適用することができる。
【０３８４】
また、上記第３の実施の形態及びその変形例においては、オペレーションセンタ７の事後課金処理により輻輳時の課金を行うように構成したが、これに限らず、特定の電話番号（例えば、０９９０−ＸＸ−ＸＸＸＸ）に発呼することにより輻輳時の課金を行うように構成することもできる。これにより、特定の電話番号に発呼するだけで課金が行われるので、課金手続が容易となる。
【０３８５】
また、上記第３の実施の形態及びその変形例においては、オペレーションセンタ７の事後課金処理により輻輳時の課金を行うように構成したが、これに限らず、輻輳時その他の異常時（又は正常時）に、利用者が携帯電話機２により発呼を行うと、加入者交換機５は、空き回線があるか否かを判定し、空き回線があると判定した場合は、料金を支払うか否かのアナウンスを携帯電話機２に対して行い（例えば、音声ガイダンス）、料金を支払うことに利用者が同意した場合（例えば、プッシュボタンの「１」を押下した場合）は、課金を行うとともに発呼先の電話番号情報に基づいて通信相手方に接続するように構成することもできる。又は、輻輳時その他の異常時（又は正常時）に、利用者が携帯電話機２により特定の電話番号に発呼すると、加入者交換機５は、空き回線があるか否かを判定し、空き回線があると判定した場合は、料金を支払うか否かのアナウンスを携帯電話機２に対して行い、料金を支払うことに利用者が同意した場合は、発呼先の電話番号の入力を促し（例えば、音声ガイダンス）、利用者が発呼先の電話番号を携帯電話機２から入力すると、課金を行うとともに発呼先の電話番号情報に基づいて通信相手方に接続するように構成することもできる。この通話制御は、加入者交換機５に限らず、携帯電話機２、無線基地局装置３、無線ネットワーク制御装置４、中継用交換機６及びオペレーションセンタ７が行ってもよい。これにより、通信相手方の電話番号に発呼するだけで又は特定の電話番号に発呼するだけで課金が行われるので、課金手続が容易となる。
【０３８６】
〔その他の変形例〕
また、上記第１の実施の形態及びその変形例においては、上記第２又は第３の実施の形態及びその変形例を適用することができる。この場合、上記第１の実施の形態及びその変形例の一部又は全部に対し、上記第２又は第３の実施の形態及びその変形例の一部又は全部を適用することができ、その組み合わせは任意である。
【０３８７】
また、上記第２の実施の形態及びその変形例においては、上記第１又は第３の実施の形態及びその変形例を適用することができる。この場合、上記第２の実施の形態及びその変形例の一部又は全部に対し、上記第１又は第３の実施の形態及びその変形例の一部又は全部を適用することができ、その組み合わせは任意である。
【０３８８】
また、上記第３の実施の形態及びその変形例においては、上記第１又は第２の実施の形態及びその変形例を適用することができる。この場合、上記第３の実施の形態及びその変形例の一部又は全部に対し、上記第１又は第２の実施の形態及びその変形例の一部又は全部を適用することができ、その組み合わせは任意である。例えば、上記第３の実施の形態及びその変形例においては、上記第１乃至第８の構成を適用することもできる。
【０３８９】
また、上記第２の実施の形態及びその変形例においては、所定の通話許可時間を変更することについて説明を行わなかったが、これに限らず、所定の通話許可時間を変更するように構成することもできる。この場合は、上記第３１乃至第３６の構成を採用することができる。
【０３９０】
また、上記第２の実施の形態及びその変形例（上記第１０又は第１１の構成）においては、所定の通話許可データ量を変更することについて説明を行わなかったが、これに限らず、所定の通話許可データ量を変更するように構成することもできる。この場合は、上記第３１乃至第３６の構成を採用することができる。
【０３９１】
また、上記第２の実施の形態及びその変形例（上記第１２又は第１３の構成）においては、所定の通話許可回数を変更することについて説明を行わなかったが、これに限らず、所定の通話許可回数を変更するように構成することもできる。この場合は、上記第３１乃至第３６の構成を採用することができる。
【０３９２】
また、上記第２の実施の形態及びその変形例（上記第１４又は第１５の構成）においては、所定の通話許可料金を変更することについて説明を行わなかったが、これに限らず、所定の通話許可料金を変更するように構成することもできる。この場合は、上記第３１乃至第３６の構成を採用することができる。
【０３９３】
また、上記第１乃至第３の実施の形態及びその変形例においては、携帯電話機２の発呼について、図５乃至図８の発信制御処理、正常時発信制御処理、輻輳時発信制御処理及び輻輳時発呼要求処理、図９及び図１０の正常時発信制御処理及び輻輳時発信制御処理、並びに図１２乃至図１４の正常時発信制御処理、輻輳時発信制御処理及び輻輳時通話料金設定処理を説明し、携帯電話機２の着呼については処理の説明を省略したが、これに限らず、携帯電話機２の着呼についても、図５乃至図８の各処理と同様の着信制御処理、正常時着信制御処理、輻輳時着信制御処理及び輻輳時着呼要求処理、図９及び図１０の正常時着信制御処理及び輻輳時着信制御処理、並びに図１２乃至図１４の正常時着信制御処理、輻輳時着信制御処理及び輻輳時通話料金設定処理を実行するように構成することもできる。すなわち、着呼側の携帯電話機２の通話を上記第１乃至第３の実施の形態のように制御してもよい。
【０３９４】
また、上記第１乃至第３の実施の形態及びその変形例においては、発信規制又は着信規制について説明を行わなかったが、発信規制中又は着信規制中に、上記第１乃至第３の実施の形態及びその変形例における各処理を行うように構成することもできる。
【０３９５】
また、上記第１乃至第３の実施の形態及びその変形例においては、図５乃至図８の発信制御処理、正常時発信制御処理、輻輳時発信制御処理及び輻輳時発呼要求処理、図９及び図１０の正常時発信制御処理及び輻輳時発信制御処理、並びに図１２乃至図１４の正常時発信制御処理、輻輳時発信制御処理及び輻輳時通話料金設定処理を加入者交換機５で実行するように構成したが、これに限らず、これらの処理に相当する機能を携帯電話機２、無線基地局装置３、無線ネットワーク制御装置４、加入者交換機５、中継用交換機６及びオペレーションセンタ７のうち２以上の装置で実現してもよいし、これらの処理に相当する機能の全部を携帯電話機２、無線基地局装置３、無線ネットワーク制御装置４、中継用交換機６及びオペレーションセンタ７のいずれかで実現してもよい。
【０３９６】
また、上記第１乃至第３の実施の形態及びその変形例においては、携帯電話機２を制御の対象としたが、これに限らず、固定電話機、公衆電話機、ＩＰ電話機、ＩＰメール端末、携帯メール端末その他の通信端末を制御の対象としてもよい。また、通信の組み合わせは携帯電話機２同士に限らず、携帯電話機２、固定電話機、公衆電話機、ＩＰ電話機、ＩＰメール端末、携帯メール端末その他の通信端末の任意の組み合わせでよい。
【０３９７】
また、上記第１乃至第３の実施の形態及びその変形例においては、携帯電話機２が通話を行う場合に本発明を適用したが、これに限らず、携帯電話機２がデータ通信その他の通信を行う場合に本発明を適用することもできる。
【０３９８】
また、上記第１乃至第３の実施の形態及びその変形例においては、本発明を通信制御システム１００に適用したが、これに限らず、本発明の主旨を逸脱しない範囲で他の場合にも適用可能である。
【符号の説明】
【０３９９】
１００…通信制御システム、  ２…携帯電話機、  ３…無線基地局装置、  ４…無線ネットワーク制御装置、  ５…加入者交換機、  ５１…音声交換機、  ５２…パケット交換機、  ５３…ビジターロケーションレジスタ、  ６…中継用交換機、  ６１…中継用音声交換機、  ６２…中継用パケット交換機、  ７…オペレーションセンタ、  ７１…ホームロケーションレジスタ、  ９，１３…関門用交換機、  １０…ゲートウェイ、  １２…ＰＯＩ、  ２０…通信制御情報、  ３０…通話待ちキュー
【図１】
2012173225.tif 000003
【図２】
2012173225.tif 000004
【図３】
2012173225.tif 000005
【図４】
2012173225.tif 000006
【図５】
2012173225.tif 000007
【図６】
2012173225.tif 000008
【図７】
2012173225.tif 000009
【図８】
2012173225.tif 000010
【図９】
2012173225.tif 000011
【図１０】
2012173225.tif 000012
【図１１】
2012173225.tif 000013
【図１２】
2012173225.tif 000014
【図１３】
2012173225.tif 000015
【図１４】
2012173225.tif 000016
【国際調査報告】
2012173225.tif 000017
2012173225.tif 000018
2012173225.tif 000019
2012173225.tif 000020
2012173225.tif 000021
2012173225.tif 000022
2012173225.tif 000023
2012173225.tif 000024